(57)【要約】      （修正有）【課題】１つのキャリアに同調された単一受信機チェーンを使用して複数のキャリア間で選択するための方法及び装置。【解決手段】受信機は１つの帯域に同調し、現在使用のキャリア及び選択肢のキャリアに対応するチャネル品質の推定値は、キャリア間で切り替えることなしに発生する。異なるセル及び／又は異なるセクタの送信機は、異なるキャリア周波数を使用し、近隣のセクタのキャリア周波数を使用して定期的に送信する。移動体受信機は、制御可能なフィルタを有する単一ＲＦチェーンを使用して、第１の現在選択された帯域内で識別される第１の信号成分及び第２の選択肢の帯域内で識別される第２の信号成分、を含んでいる第１の選択されたキャリア帯域の範囲内の信号を受信しそして処理する。別々の品質指標値が、第１の信号成分及び第２の信号成分から取得され、比較され、受信機の制御可能なフィルタが第２の帯域に切り替えられるべきかの判断がなされる。【選択図】図５
2011211742.tif 000002
【特許請求の範囲】
【請求項１】
通信方法、該方法は下記を具備する：
第１の成分及び第２の成分を含んでいる信号を受信すること；
前記第１の信号成分及び前記第２の信号成分を通すようにフィルタを動作させること、前記第１の信号成分及び前記第２の信号成分は第１の周波数帯域の範囲内である；
第１の信号品質指標を発生させるために前記第１の信号成分に第１の信号測定を実行すること；
第２の信号品質指標を発生させるために前記第２の信号成分に第２の信号測定を実行すること；及び
前記第１の信号品質指標及び前記第２の信号品質指標の関数として前記第２の信号成分に関係する第２の周波数帯域において動作させることと前記第１の周波数帯域において動作させることとの間で選択すること。
【請求項２】
請求項１の方法、ここにおいて、前記第２の周波数帯域は、前記第１の周波数帯域の範囲外である。
【請求項３】
請求項２の方法、ここにおいて、前記受信するステップ、実行するステップ及び選択するステップは、移動体通信デバイスによって実行され、該方法は下記をさらに具備する：    前記第１の信号成分を送信するために該第１の周波数帯域において主に送信する第１の送信機を動作させること；及び
前記第１の周波数帯域内の前記第２の信号成分を送信するために前記第２の周波数帯域において主に送信する第２の送信機を動作させること。
【請求項４】
請求項３の方法、
ここにおいて、前記第１の送信機及び前記第２の送信機は、同じセルの異なるセクタ内に設置される；
ここにおいて、該第１の信号成分は、前記同じセルの第１のセクタに対応する第１のアンテナを使用して送信される；及び
ここにおいて、該第２の信号成分は、前記同じセルの第２のセクタに対応する第２のアンテナを使用して送信される。
【請求項５】
請求項３の方法、
ここにおいて、前記第１の送信機及び前記第２の送信機は、異なるセル内に設置される；
ここにおいて、該第１の信号成分は、第１のセルに対応する第１のアンテナを使用して送信される；及び
ここにおいて、該第２の信号成分は、第２のセルに対応する第２のアンテナを使用して送信される。
【請求項６】
請求項４の方法、
ここにおいて、前記信号は、時間の１つのピリオドにわたり受信される；及び
ここにおいて、前記第１の信号成分及び前記第２の信号成分は、時間の異なる点において受信される。
【請求項７】
請求項６の方法、ここにおいて、前記第１の信号成分及び前記第２の信号成分は、前記フィルタの幅と比較して周波数幅が狭い。
【請求項８】
請求項７の方法、ここにおいて、前記第１の信号成分及び前記第２の信号成分は、前記フィルタの周波数幅の大きくとも１／２０の周波数幅を有する。
【請求項９】
請求項３の方法、該方法は下記をさらに具備する：
該第２の周波数帯域に信号を定期的に送信するように該第１の送信機を動作させること。
【請求項１０】
請求項３の方法、ここにおいて、該第１の周波数帯域及び該第２の周波数帯域は、幅が少なくとも１ＭＨｚである。
【請求項１１】
請求項１０の方法、ここにおいて、前記フィルタは、幅が２ＭＨｚよりも小さな帯域を有する。
【請求項１２】
請求項１の方法、該方法は下記をさらに具備する：
前記第２の周波数帯域が選択される場合、前記第１の帯域の代わりに前記第２の帯域を通すように前記フィルタを制御すること。
【請求項１３】
請求項１２の方法、該方法は下記をさらに具備する：
第３の信号成分及び第４の信号成分を通すように該フィルタを動作させること、前記第３の信号成分及び前記第４の信号成分は該第２の周波数帯域の範囲内である；
第３の信号品質指標を発生させるために前記第３の信号成分に第３の信号測定を実行すること；
第４の信号品質指標を発生させるために前記第４の信号成分に第４の信号測定を実行すること；及び
前記第３の信号品質指標及び前記第４の信号品質指標の関数として該第２の周波数帯域において動作させることと該第１の周波数帯域において動作させることとの間で選択すること。
【請求項１４】
請求項１３の方法、該方法は下記をさらに具備する：
前記第１の周波数帯域が選択される場合、前記第２の周波数帯域の代わりに前記第１の周波数帯域を通すように前記フィルタを制御すること。
【請求項１５】
請求項１の方法、該方法は下記をさらに具備する：
前記受信するステップ及び第１及び第２の測定ステップを複数回繰り返すこと、前記第１の周波数帯域と前記第２の周波数帯域との間で前記選択することは前記第２の品質指標が予め決められたインターバルのあいだ前記第１の品質指標を超えた後で該第２の周波数帯域を選択すること。
【請求項１６】
請求項１５の方法、ここにおいて、前記インターバルは、予め決められた期間の時間インターバルである。
【請求項１７】
請求項１５の方法、ここにおいて、前記予め決められたインターバルは、一定数の信号測定を含む。
【請求項１８】
請求項１の方法、ここにおいて、前記選択することは、予め決められたしきい値に基づく。
【請求項１９】
請求項１８の方法、ここにおいて、前記選択することは、前記第１の信号品質値及び第２の信号品質値が両方とも予め選択されたインターバルのあいだ前記予め決められたしきい値を超える場合、低い方の信号品質値に対応する該周波数帯域を選択することを含む。
【請求項２０】
請求項１８の方法、ここにおいて、前記選択することは、前記第１の信号品質値及び第２の信号品質値のうちの１つが前記予め決められたしきい値より下である場合、高い方の信号品質値に対応する該周波数帯域を選択することを含む。
【請求項２１】
請求項１の方法、ここにおいて、前記選択することは、前記第１の信号品質値が時間のあいだ減少し、前記第２の信号品質値が時間のあいだ増加し、そして該第１の信号品質値と該第２の信号品質値との差が符号の正負を変える場合、該第２の周波数帯域を選択することを含む。
【請求項２２】
請求項１の方法、ここにおいて、前記選択するステップは、ユーザに提供されようとしているサービスの品質（ＱｏＳ）の関数である、前記選択する関数は前記ユーザに提供されようとしている該ＱｏＳの変化を示している情報に応じて変化する。
【請求項２３】
請求項１の方法、ここにおいて、前記選択するステップは、通信システム・ローディングの関数であり、該方法は下記をさらに具備する：
通信システム・ローディングを示す情報を受信すること；及び
通信システム・ローディングにおける変化の指示に応じて前記選択する関数を修正すること。
【請求項２４】
請求項２３の方法、ここにおいて、前記通信システム・ローディング情報は、当該基地局から前記信号を受信しているデバイスに該基地局から伝達される。
【請求項２５】
通信デバイス、該デバイスは下記を具備する：
第１の成分及び第２の成分を含んでいる信号を受信するための受信機アンテナ；
前記受信した信号をフィルタするためそして第１の周波数帯域及び第２の周波数帯域のうちの選択された１つの中の信号を通し他方で前記第１の周波数帯域及び前記第２の周波数帯域の別の１つの中に含まれた少なくとも複数の周波数を破棄するために前記アンテナに接続された制御可能なフィルタ、前記第１の信号成分及び前記第２の信号成分は該第１の周波数帯域及び該第２の周波数帯域のうちの選択された１つの範囲内であり、該第１の信号成分は前記第１の周波数帯域に関係付けられ、前記第２の信号成分は前記第２の周波数帯域に関係付けられる；
第１の信号品質指標を発生させるために前記第１の信号成分に第１の信号測定を実行するために前記制御可能なフィルタに接続された第１の信号測定デバイス；
第２の信号品質指標を発生させるために前記第２の信号成分に第２の信号測定を実行するために前記制御可能なフィルタに接続された第２の信号測定デバイス；及び
前記第１の信号品質指標及び前記第２の信号品質指標の関数として第２の周波数帯域において動作させることと該第１の周波数帯域において動作させることとの間で選択するため、そして前記制御可能なフィルタによって通される該第１の周波数帯域と該第２の周波数帯域のうちの１つを制御するために使用する制御信号を発生させるための周波数帯域選択モジュール。
【請求項２６】
請求項２５のデバイス、ここにおいて、前記第２の周波数帯域は、前記第１の周波数帯域の範囲外である。
【請求項２７】
請求項２５のデバイス、ここにおいて、前記制御可能なフィルタは、前記第２の周波数帯域が選択された場合に、前記第２の周波数帯域を通しそして前記第１の周波数帯域の少なくとも一部を破棄する。
【請求項２８】
請求項２７のデバイス、ここにおいて、前記制御可能なフィルタは、前記第２の周波数帯域が選択された場合に、該第２の周波数帯域の範囲内に含まれる第３の信号成分及び第４の信号成分を通す、該デバイスは下記をさらに具備する：
第３の信号品質指標を発生させるために前記第３の信号成分に第３の信号測定を実行するための手段；
第４の信号品質指標を発生させるために前記第４の信号成分に第４の信号測定を実行するための手段；及び
前記第３の信号品質指標及び前記第４の信号品質指標の関数として該第２の周波数帯域において動作させることと該第１の周波数帯域において動作させることとの間で選択するための手段。
【請求項２９】
通信システム、該システムは下記を具備する：
下記を含む携帯型通信デバイス：
ｉ）第１の成分及び第２の成分を含んでいる信号を受信するための受信機アンテナ；
ｉｉ）前記受信した信号をフィルタするためそして第１の周波数帯域及び第２の周波数帯域のうちの選択された１つの中の信号を通し他方で前記第１の周波数帯域及び前記第２の周波数帯域の別の１つの中に含まれた少なくとも複数の周波数を破棄するために前記アンテナに接続された制御可能なフィルタ、前記第１の信号成分及び前記第２の信号成分は該第１の周波数帯域及び該第２の周波数帯域のうちの選択された１つの範囲内であり、該第１の信号成分は前記第１の周波数帯域に関係付けられ、前記第２の信号成分は前記第２の周波数帯域に関係付けられる；
ｉｉｉ）第１の信号品質指標を発生させるために前記第１の信号成分に第１の信号測定を実行するために前記制御可能なフィルタに接続された第１の信号測定デバイス；      ｉｖ）第２の信号品質指標を発生させるために前記第２の信号成分に第２の信号測定を実行するために前記制御可能なフィルタに接続された第２の信号測定デバイス；
ｖ）前記第１の信号品質指標及び前記第２の信号品質指標の関数として第２の周波数帯域において動作させることと該第１の周波数帯域において動作させることとの間で選択するため、そして前記制御可能なフィルタによって通される該第１の周波数帯域と該第２の周波数帯域のうちの１つを制御するために使用する制御信号を発生させるための周波数帯域選択モジュール；及び
第１の基地局、該基地局は通信セル内に配置され、該基地局は下記を含む：
前記第１の信号成分を送信するために該第１の周波数帯域内に主に送信する第１の送信機。
【請求項３０】
請求項２９のシステム、ここにおいて、前記第１の基地局は下記をさらに具備する：    該第１の信号成分を送信するために前記セルの第１のセクタの方向に向けられた第１の送信アンテナ；
当該第２の送信機が動作する時間の一部の間に前記第１の周波数帯域内に前記第１の信号成分を送信するために前記第２の周波数帯域内に主に送信する第２の送信機、前記第２の送信機は前記第１の送信機がそこに対応するセクタとは異なる前記セルのセクタに対応する；及び
該第２の信号成分を送信するために前記セルの第２のセクタの方向に向けられた第２の送信アンテナ、該第１のセクタ及び該第２のセクタは前記セルの異なる物理的地域に設置される。
【請求項３１】
請求項３０のシステム、
ここにおいて、前記信号は、時間の１つのピリオドにわたり受信される；及び
ここにおいて、前記第１の信号成分及び前記第２の信号成分は、時間の異なる点において受信される。
【請求項３２】
請求項３１のシステム、ここにおいて、前記制御可能なフィルタは、パスバンド・フィルタである、そしてここにおいて、前記第１の信号成分及び前記第２の信号成分は、前記制御可能なフィルタの幅に比べて周波数幅が狭く、前記第１の信号成分及び前記第２の信号成分は前記制御可能なフィルタのパスバンド幅の半分よりも狭い幅を有する。
【請求項３３】
請求項３２のシステム、ここにおいて、前記第１の信号成分及び前記第２の信号成分は、前記制御可能なフィルタのパスバンドの周波数幅の大きくとも１／２０の周波数幅を有する。
【請求項３４】
請求項２９のシステム、該システムは下記をさらに具備する： 
第２のセルに配置された第２の基地局、該第２の基地局は第２の送信機を含み、前記第１の送信機及び前記第２の送信機は異なるセル内に配置される；
前記第１のセルは該第１の信号成分を送信するための第１のアンテナを含み；及び    該第２のセルは該第２の信号成分を送信するための第２のアンテナを含む。
【請求項３５】
請求項２９のシステム、該システムは下記をさらに具備する：
該第２の周波数帯域内に信号を定期的に送信するために該第１の送信機を制御するための手段。
【請求項３６】
請求項３４のシステム、ここにおいて、該第１の周波数帯域及び該第２の周波数帯域は、幅が少なくとも１ＭＨｚである。
【請求項３７】
請求項３６のシステム、ここにおいて、前記制御可能なフィルタは、幅が２ＭＨｚよりの狭いパスバンドを有する。
【発明の詳細な説明】
【技術分野】
【０００１】
本発明は、通信システムに係り、そしてより詳しくは、１つのキャリアに同調された単一受信機チェーンを使用するワイアレス通信システムにおいて複数のキャリア間で選択するための方法及び装置に関する。
【背景技術】
【０００２】
実行の観点から、通信システムの異なる部分において異なるキャリアを使用することは、有利であり得る、例えば、異なる周波数への権利が、異なる地理的な場所に所有されるためであり、及び／又は異なるキャリアのユーザを通した信号干渉を最小にするために望ましいためである。スペクトル拡散ワイアレス通信システムは、異なる周波数帯域に関係付けられる各キャリアを用いてシステム全体を通して異なるキャリアを使用できる。ある複数のワイアレス通信システムでは、異なるセル及び／又はセクタは、異なるキャリアを使用する。ある複数のシステムでは、同じセクタ又は同じセルは、各々が関係する周波数帯域を用いる別のキャリアを使用する、例えば、そこでは、セル又はセクタおいて利用可能な全体のバンド幅が、異なる周波数帯域、例えば、別個の周波数帯域に区分される。
【０００３】
ワイアレス端末（ＷＴ：wireless terminal）、例えば、移動体ノードは、通信システム全体を移動でき、そして特定のキャリア周波数及び、例えば、ダウンリンク・シグナリングのために関係付けられた帯域を使用する所与のセクタ／セル基地局との接続を確立できる。例えば、キャリア周波数上でのローディング状態の変化、例えば、より多くのユーザ、のために、干渉のレベルの変化のために、又はＷＴの移動、例えば、セル／セクタ境界に近づくことのために、状態が変化するので、別のキャリアに乗り換えることそして基地局送信機に対応している別のセル／セクタ／キャリア周波数に接続することが、ＷＴにとって有利であり得る又は必要であり得る。一般的に、公知のシステムにおいて、複数のワイアレス端末受信機実行手段は、単一受信機チェーンを使用し、そしてワイアレス端末は、例えば、基地局による通信の中断によって切り替えることを強いられるまで同じキャリア上に留まる。ＷＴが境界において通信の中断を経験するため、そしてＷＴがシステム全体を移動するにつれて受信品質の変化、例えば、フェーディングを経験するので、このアプローチは、望ましくない。その他の公知の受信機実行手段は、単一受信機チェーンを使用し、そこでは、接続された基地局送信機との通信に割り込み、そして代わりの可能性のあるキャリアを検索しそして評価するために、一時的に使用中のキャリアから切り替える。このアプローチは、望ましくない。その理由は、ＷＴが、検索インターバルのあいだ通常の通信セッションを中断させ、各検索周波数に対して調節するためにフィルタ、例えば、ＲＦフィルタを再同調させる時間を消費し、検出されたキャリアを待つため、いずれかの受信した信号、例えば、パイロット信号を受け取りそして評価するために時間を消費し、そしてその後、元のキャリア設定に再同調させるための時間を消費するためである。
【０００４】
上の議論の観点から、効率的なワイアレス端末受信機設計及び動作に向けられた改善された方法及び装置に対する必要性があることは、明白である。そのような装置及び方法が、進行中の通信セッションを中断させることなく同時に異なるキャリア周波数帯域を使用する２つの選択肢のチャネルの品質を推定することを可能にするのであれば、好都合である。同様に、選択肢のキャリアを連続的にトラッキングすること、キャリア周波数／セル／セクタ基地局接続点のワイアレス端末選択を可能にし、通信の中断の前に切り替えることを可能にし、従来の点で切り替えが生じることを可能にし、そして、他の事柄、例えば、システム・ロード状態に応じて切り替えることを可能にするために、そのような方法が提供されるのであれば、有利であるはずである。
【発明の概要】
【０００５】
本発明の種々の実施形態は、例えば、全体の利用可能な帯域幅が異なる周波数帯域に分割され、各帯域が１つの関係するキャリア周波数を有するシステムにおいて、複数のキャリアを使用するワイアレス通信システム、例えば、スペクトル拡散ＯＦＤＭシステム及び／又はＣＤＭＡシステムに向けられる。システム内の異なるセルは、異なるキャリア周波数を使用でき；同じセルの異なるセクタは、異なるキャリア周波数を使用できる。ある複数の実施形態では、１つのセルの同じセクタは、例えば、異なるパワー・レベルで別のキャリア周波数を使用でき、さらなるダイバーシティ及びさらなる基地局接続選択肢、例えば、ダウンリンク・トラフィック・チャネル・シグナリングにために代わりの接続点を提供する。
【０００６】
複数のキャリア周波数を採用する複数セル複数セクタ・ワイアレス通信システムにおいて本発明にしたがった複数のキャリア周波数選択方法に適応するワイアレス端末受信機が、記載される。本発明にしたがったＷＴ受信機は、例えば、単一ＲＦモジュールを用いる単一受信機チェーンを含むことができ、しかも、例えば、キャリア周波数として、そして特定の基地局送信機とともにダウンリンク・トラフィック・シグナリングを受信するためのＷＴによって使用されるその関係する帯域として択一的に選択されることができる、複数の選択肢のキャリア上の情報を処理することが可能である。ワイアレス端末の受信機が特定の時間に１つの帯域に同調されるけれども、現在使用されているキャリア及び選択肢のキャリアに対応するチャネル品質の推定値は、本発明にしたがって、キャリア間で切り替えることなしに発生される。本発明のこのアプローチは、公知の単一受信機チェーンを使用する検索技術及び評価技術とは対照的である。単一受信機チェーンでは、ＷＴは、現在選択されているキャリア周波数における通常のダウンリンク・トラフィック・チャネル信号処理を一時停止し、可能性のある選択肢のキャリアに切り替え、信号をモニタし、評価に使用される測定を実行し、そしてそれから元のキャリアに切り替えて戻す。本発明のアプローチは、実行中の通信セッションの間の中断を減少でき、選択肢のキャリアの継続的なＷＴトラッキングを容易にでき、通信の切断又は許容されないレベルへの劣化の前にハンドオフに対するＷＴの必要性を通知でき、ワイアレス端末がシステム全体を移動するにつれて異なる基地局接続点の間でタイミングよく最小の中断で効率的なハンドオフを容易にし、そして／又は異なるキャリアのシステム・ローディングをバランスさせることを助けるために使用されることが可能である。
【０００７】
ある複数の実施形態では、異なるセル及び／又は異なるセクタ、例えば、別の隣接するセル及び／又は別の隣接するセクタの基地局送信機は、主に異なるキャリア周波数を使用するが、近隣のセクタのキャリア周波数を使用して定期的に送信する。移動体ノード受信機は、本発明にしたがって、制御可能なフィルタ、例えば、制御可能なＲＦフィルタを有する単一チェーンを使用して、第１の選択されたキャリア帯域の範囲内の信号、例えば、複数の異なる送信機からの複合信号を受信しそして処理する。その信号は２つの成分、第１の現在選択された帯域で識別される第１の信号成分及び第２の選択肢の帯域で識別される第２の信号成分を含む。別々の品質指標値が、第１の信号成分及び第２の信号成分から取得され、比較され、そして受信機の制御可能なフィルタが第２の帯域に切り替えられるべきであるかどうかについての判断がなされる。
【０００８】
本発明の種々の実施形態にしたがって与えられるワイアレス端末、例えば、移動体携帯型通信デバイスは：受信機アンテナ、前記アンテナに接続された制御可能なフィルタ、前記制御可能なフィルタに接続された第１の信号測定デバイス、前記制御可能なフィルタに接続された第２の信号測定デバイス、及び周波数帯域選択モジュール、を含む。各ＷＴの受信機アンテナは、第１の成分及び第２の成分を含んでいる信号、例えば、複合信号を受信するために使用される。ある複数の実施形態では、信号、例えば、複合信号は、１つの時間のピリオドにわたり受信され、そして第１の信号成分及び第２の信号成分は、異なる時間の点において受信される。制御可能なフィルタ、例えば、ミキサを含んでいる制御可能なＲＦモジュール内部のＲＦバンドパス・フィルタは、第１の周波数帯域と第２の周波数帯域とのうちの選択された１つを通し、他方で前記第１の周波数帯域と前記第２の周波数帯域とのうちの別の１つの中の少なくとも複数の周波数を除去する。第１の信号成分及び第２の信号成分は、第１の周波数帯域及び第２の周波数帯域のうちの選択された１つの範囲内である。第１の信号成分は、第１の周波数帯域に関係付けられ、一方で第２の信号成分は、第２の周波数帯域に関係付けられる。ある複数の実施形態では、そこでは制御可能なフィルタはパスバンド・フィルタであり、そしてそこでは第１の信号成分及び第２の信号成分は制御可能なフィルタの幅に比べて周波数幅が狭く、第１の信号成分及び第２の信号成分は、制御可能なフィルタのパスバンド幅の半分よりも狭い幅を有する。ある複数の実施形態、例えば、ある複数のＯＦＤＭ実施形態では、そこでは、例えば、第１の信号成分及び第２の信号成分は受信される高パワー信号、例えば、検出することが容易なビーコン信号であり、第１の信号成分及び第２の信号成分は、制御可能なフィルタのパスバンドの周波数幅の大きくとも１／２０の周波数幅を有する。
【０００９】
第１の信号測定デバイスは、第１の信号品質指標を発生させるために第１の信号成分に第１の信号測定を実行し、一方で第２の信号測定デバイスは、第２の信号品質指標を発生させるために前記第２の信号成分に第２の信号測定を実行する。ある複数の実施形態では、第１の信号測定デバイスは、信号エネルギー、ＳＮＲを測定でき、そしてＷＴ固有の信号、例えば、特定のＷＴに向けられたダウンリンク・トラフィック信号、同様に同報通信信号、例えば、割り当て信号、パイロット信号、及び／又はビーコン信号に対するエラー・レートを決定する；他方で、第２の信号測定デバイスは、受信した同報通信信号、例えば、複数のデバイスによって受信されるように向けられた複数の割り当て信号、パイロット信号、及び／又はビーコン信号についてエネルギー検出及び／又はＳＮＲ検出を実行する。周波数帯域選択モジュールは、第１の信号品質指標及び第２の信号品質指標の関数として第２の周波数帯域において動作させることと第１の周波数帯域において動作させることとの間で選択し、そして制御可能なフィルタによって通される第１の周波数帯域と第２の周波数帯域とのうちの１つを制御するため、例えば、選択するために使用する制御信号を発生させる。
【００１０】
通信セル内部に配置された基地局は、本発明の種々の実施形態にしたがって、前記第１の信号成分を送信するための第１の送信機を含み、それは第１の周波数帯域内に主に送信する。基地局は、セクタ化された動作を容易にすることができ、そして第１の送信機に接続され、そして第１の信号成分を送信するためにセルの第１のセクタの方向に向けられた第１の送信アンテナを含むことができる。その上、そのようなセクタ化された基地局は、通常、第２のアンテナに接続された第２の送信機を含む。第２の送信機は、第２の周波数帯域内に主に送信するが、第２の送信機が動作する時間の一部の間に本発明にしたがって第１の周波数帯域内に前記第２の信号成分を送信する。第２の送信機は、第１の送信機が対応するセクタとは異なる該セルの別のセクタに対応する。第２の送信機アンテナは、第２の信号成分を送信するために該セルの第２のセクタに向けられる。第１のセクタ及び第２のセクタは、セルの異なる物理的地域、例えば、ある程度の重なりを有することがある隣接する地域内に設置される。
【００１１】
本発明のある複数の実施形態にしたがって、追加の基地局、例えば、第２の基地局は、対応する第２のセル、例えば、第１の送信機に対応するセルの隣接する及び／又は部分的に重なるセル内に位置する。そのような追加の基地局は、送信機及び送信アンテナを含むことができ、それ自身の主周波数帯域内に主に信号を送信するために使用され、そして、隣接するセルの送信機の主帯域、例えば、第１の送信機の主帯域として使用される周波数帯域内に時々、例えば、定期的に送信するために使用される。そのような、副次的な信号は、ＷＴによって受信されることがあり、そして受信した信号の第２の信号成分として評価されることがある。
【００１２】
ある複数の実施形態では、第１の周波数帯域及び第２の周波数帯域は、幅が少なくとも１ＭＨｚである。例えば、第１の周波数帯域及び第２の周波数帯域は、システム全体にわたり３又は４つの異なる１．２５ＭＨｚ帯域を使用する５ＭＨｚの全体システムの一部として１．２５ＭＨｚ周波数帯域であり得る。少なくとも１ＭＨｚの周波数帯域を使用する種々のシステムにおいて、受信機の制御可能なフィルタは、幅が２ＭＨｚよりも狭いパスバンドを有する。
【００１３】
種々の実施形態では、制御可能なフィルタは、例えば、ＲＦフィルタ、ベースバンド・フィルタ又はＩ／Ｆフィルタであり得る。フィルタは、ディジタル・フィルタであり得て、これは選択された周波数帯域よりも大きな周波数範囲に対応する情報を受信し、選択された周波数帯域の範囲外の情報を破棄する、例えば、処理しない。
【００１４】
ある複数の実施形態では、帯域選択のために使用される制御可能なフィルタは、ＦＦＴの後で実行される。そのような場合には、選択された帯域の範囲外の周波数に関するＦＦＴ結果は、計算されることができるが、フィルタリングの結果として使用されない。そのような実施形態では、ＲＦモジュール中の物理フィルタは、一定である又は制御可能でないことがあり、そして１又はそれより多くの帯域からの信号は、物理フィルタによって通される。そのような１つの実施形態では、ＦＦＴの後で、選択された帯域の範囲外のトーンは、例えば、ディジタル信号処理モジュール及び／又は別の１つの制御可能なモジュールによって破棄される。そのような実施形態では、選択された帯域の範囲外のトーン及び／又は情報を破棄するモジュールは、制御可能なフィルタであり、そして帯域選択制御信号に応じて動作する。本発明の種々の実施形態は、複数の周波数帯域の間で選択するために使用される受信機動作の通信方法に向けられる。受信機は、例えば、携帯型移動体ワイアレス端末通信デバイス内部の受信機であり得る。
【００１５】
具体例の実施形態は、本発明にしたがって、第１の成分及び第２の成分を含んでいる信号、例えば、複合信号を受信すること、第１の信号成分及び第２の信号成分は第１の周波数帯域の範囲内であり、第１の信号成分及び前記第２の信号成分を通すようにパスバンド・フィルタを動作させること、第１の信号品質指標を発生させるために第１の信号成分に第１の信号測定を実行すること、第２の信号品質指標を発生させるために第２の信号成分に第２の信号測定を実行すること、そして第１の信号品質指標及び第２の信号品質指標の関数として第２の信号成分に関係する第２の周波数帯域において動作させることと第１の信号成分に関係する第１の周波数帯域において動作させることとの間で選択すること、とを含む。種々の実施形態では、第１の周波数帯域は第２の周波数帯域の範囲外であり、例えば、第１の周波数帯域及び第２の周波数帯域は、５ＭＨｚの通信システムの範囲内の別々の重ならない１．２５ＭＨｚ周波数帯域であり得る。
【００１６】
本発明の少なくとも１つの具体例の方法にしたがって、第１の周波数帯域において主に送信する第１の送信機、例えば、第１の基地局送信機は、第１の信号成分を送信するために動作される。第１の信号成分は、例えば、ダウンリンク・トラフィック信号、割り当て信号、パイロット信号、及び／又はビーコン信号であり得る。該方法は、前記第１の周波数帯域内に前記第２の信号成分を、例えば、定期的に送信するために前記第２の周波数帯域において主に送信する第２の送信機、例えば、別の基地局送信機を動作させること、を具備する。第２の信号成分は、例えば、割り当て信号、パイロット信号、及び／又はビーコン信号等、のような、例えば、同報通信信号であり得る。
【００１７】
ある複数の実施形態では、第１の送信機及び第２の送信機は、同じセルの異なるセクタ内に位置する。そして、第１の信号成分は、前記同じセルの第１のセクタに対応する第１のアンテナを使用して送信され、他方で、第２の信号成分は、同じセルの第２のセクタに対応する第２のアンテナを使用して送信される。ある複数の実施形態では、第１の送信機及び第２の送信機は、異なるセル内に設置され、そして、第１の信号成分は、第１のセルに対応する第１のアンテナを使用して送信され、他方で、第２の信号成分は、第２のセルに対応する第２のアンテナを使用して送信される。
【００１８】
ある複数の実施形態では、信号、例えば、２つの送信機からの複合信号は、時間の１つのピリオドにわたり受信され、そして第１の信号成分及び第２の信号成分は、時間の異なる点で受信される。
【００１９】
第１の信号成分及び第２の信号成分は、ある複数の実施形態では、パスバンド・フィルタの幅と比較して周波数幅が狭い。例えば、ある複数の実施形態では、第１の信号成分及び第２の信号成分は、パスバンド・フィルタの周波数幅の大きくとも１／２０の周波数幅を有する。
【００２０】
ある複数の実施形態では、第１の周波数帯域及び第２の周波数帯域は、幅が少なくとも１ＭＨｚであり、そしてパスバンド・フィルタは、幅が２ＭＨｚよりも狭い帯域を有することができる。
【００２１】
第１の信号成分及び第２の信号成分を受信し、通しそして測定するように動作され、そして第１の周波数帯域と第２の周波数帯域との間で選択するように動作される受信機、例えば、ＷＴ受信機に加えて、本方法は、ある複数の実施形態では、第２の周波数帯域が選択される場合、第１の帯域の代わりに第２の帯域を通すようにパスバンド・フィルタを制御すること、をさらに具備する。第２の周波数帯域に切り替えられると、本方法は、第３の信号成分及び第４の信号成分を通すようにパスバンド・フィルタを動作させることさらに具備でき、前記第３の信号成分及び前記第４の信号成分は第２の周波数帯域の範囲内であり、第３の信号品質指標を発生させるために第３の信号成分に第３の信号測定を実行すること、第４の信号品質指標を発生させるために第４の信号成分に第４の信号測定を実行すること、そして前記複数の信号品質指標の関数として第２の周波数帯域において動作することと第１の周波数帯域において動作することとの間で選択すること、をさらに具備できる。その後、第１の周波数帯域が選択されるのであれば、パスバンド・フィルタは、第２の周波数帯域の代わりに第１の周波数帯域を通すように制御されることが可能である。
【００２２】
ある複数の実施形態では、第１の信号成分及び第２の信号成分を受信するステップ、及び第１の信号成分及び第２の信号成分を測定するステップは、複数回繰り返されることができ、そして第２の周波数帯域を選択することは、予め決められたインターバル、例えば、予め決められた期間又は一定数の信号測定のあいだ第２の品質指標値が第１の品質指標値を超えた後で起きる。これは、短い期間又は状態の過渡的な変化に応じて帯域の切り替えを防止するために行われる。例えば、予め決められたしきい値のような、別の基準が、複数の周波数帯域間での選択のために使用されることが可能である。例えば、選択することは、第１の信号品質値及び第２の信号品質値が両方とも予め選択されたインターバルのあいだ予め決められたしきい値を超える場合、低い方の信号品質値に対応する周波数帯域を選択することを含むことが可能である。そのようにして、両方の信号成分が満足する状態を示す場合に、低い方の品質、例えば、より低いパワーの帯域が、選択されることができ、高い方のパワー帯域を別の１つの移動体によって使用されるように解放する。選択することは、しかも、第１の信号品質値及び第２の信号品質値のうちの１つが予め決められたしきい値より下である場合に、高い方の信号品質値に対応する周波数を選択することを含むことが可能であり、それによって、信号品質が問題である時に良い方の帯域を選択する。選択することは、しかも、前記第１の信号品質値が時間のあいだ減少し、かつ前記第２の信号品質値が時間のあいだ増加し、そして第１の信号品質値と第２の信号品質値との差が、ワイアレス端末が第２の信号成分の送信機の方向に向かっていて第１の信号成分の送信機から離れることを示している符号の正負を変える場合に、第２の周波数帯域を選択することを含むことが可能である。
【００２３】
ある複数の実施形態では、選択するステップは、ユーザに提供されようとしているサービスの品質（ＱｏＳ：Quality of Service）の関数であり、選択する関数はユーザに提供されようとしているＱｏＳの変化を示している情報に応じて変化する。この変化は、周波数帯域を選択するために選択モジュールによって使用されるしきい値の変化として与えられることができる。
【００２４】
ある複数の実施形態では、選択するステップは、通信システム・ローディングの関数であり、そして該方法は、通信システム・ローディングを示す情報を受信すること、及び通信システム・ローディングにおける変化の指示に応じて選択する関数を修正すること、をさらに具備する。例えば、ワイアレス端末が第１の周波数帯域の頻繁な使用を検出する場合には、選択は、選択決定において使用する重みを変えることができ、第２の周波数帯域に対するより強い指向性を生み出す。受信されたローディング情報は、基地局からデバイス、例えば、その基地局から信号を受信するＷＴに伝送される。
【００２５】
種々の実施形態において、複数の選択肢のキャリアは、選択判断が実行される前に評価されることができ、そしてキャリアの変更は、例えば、制御可能なフィルタをリセットすることが生じる前に開始される。例えば、３つの１．２５ＭＨｚキャリア帯域を使用する具体例の５ＭＨｚの３セクタ／セル・システムでは、第１の信号成分は、ＷＴへのダウンリンク・トラフィック・シグナリングのために使用される現在接続されている基地局セクタ送信機からの複数の信号、例えば、ビーコン信号、ダウンリンク・トラフィック信号、パイロット信号、割り当て信号、等を含むことができ、他方で、第２の信号成分は、それらの主キャリアとして別のキャリア周波数を割り当てられた隣接するセクタ／セル送信機からの複数の受信した信号、例えば、異なるビーコン信号の間で交代させることができる。選択肢の基地局セクタ送信機接続点から受信した第２の信号のセットが評価され、そして第２の品質指標値が取得された後で、比較は、第１の品質指標値を用いて実行され、そして選択された帯域を変えることに関する判断が、実行される。
【図面の簡単な説明】
【００２６】
【図１】図１は、本発明にしたがって実行され、そして本発明の方法を使用する複数のキャリアをサポートする具体例のワイアレス通信システムの図である。
【図２】図２は、本発明にしたがって実行され、そして本発明の方法を使用する具体例の基地局の図である。
【図３】図３は、本発明にしたがって実行され、そして本発明の方法を使用する具体例のワイアレス端末の図である。
【図４】図４は、同時に同じ選択されたキャリア帯域から受信された信号の２つの成分を処理することが可能な受信機の具体例の実施形態の図であり、各成分は異なる情報、例えば、２つの異なるキャリア帯域のうちの１つに対応する情報を伝達し、受信機は本発明にしたがってそして本発明の方法を使用して実行される。
【図５】図５は、本発明にしたがって図４の単一受信機チェーン受信機の具体例の実施形態を利用する具体例のワイアレス端末実施形態に関係する具体例の基地局シグナリングを説明する図である。
【図６Ａ】図６Ａは、本発明にしたがって図４の具体例の単一受信機チェーン受信機を利用する具体例のワイアレス端末を含んでいる通信システムを動作させる具体例の通信方法を説明するフローチャートである。
【図６Ｂ】図６Ｂは、本発明にしたがって図４の具体例の単一受信機チェーン受信機を利用する具体例のワイアレス端末を含んでいる通信システムを動作させる具体例の通信方法を説明するフローチャートである。
【図７】図７は、本発明にしたがって実行される具体例のワイアレス通信システムの一部の図であり、システムは動いている具体例のワイアレス端末を含み、そして本発明をさらに説明する目的で使用される。
【図８】図８は、本発明にしたがって実行される受信機の別の１つの具体例の実施形態の図であり、受信機は図７に示されたワイアレス端末中で使用されることができる。
【図９】図９は、セクタ送信機に対応するビーコンを含んでいる具体例の基地局セクタ送信機シグナリングを説明する図であり、ビーコンは本発明にしたがって複数の帯域に送信され：シグナリングは、図７に示された具体例の基地局から送信されることができる。
【図１０】図１０は、図７に示された具体例のワイアレス端末の受信機における具体例の受信された信号を説明する図である。
【図１１】図１１は、図１０の具体例の受信された信号の具体例のワイアレス端末受信機及び本発明にしたがった具体例の帯域選択を説明する図である。
【図１２】図１２は、セクタ送信機に対応するビーコンを含んでいる具体例の基地局セクタ送信機シグナリングを説明する図であり、ビーコンは本発明にしたがって複数の帯域に送信され、ワイアレス端末が新たな帯域を選択し、そして接続点を変更した後で、シグナリングは、図７に示された具体例の基地局から送信されることができる。
【図１３】図１３は、隣接するセクタに対してタイミング・オフセットを有する具体例のビーコン信号の説明図であり、本発明の特徴をさらに説明する目的のために使用される。
【発明を実施するための形態】
【００２７】
図１は、本発明にしたがって実行され、複数のキャリア及びスペクトル拡散シグナリングをサポートする具体例のワイアレス通信システム１００を示す。システム１００は、本発明の装置及び方法を使用する。図１は、複数の具体例の複数セクタ・セル、セル１  １０２、セル２  １０４、セル３  １０６を含む。各セル（１０２，１０４，１０６）は、基地局（ＢＳ：base station）、（ＢＳ１  １０８、ＢＳ２  １１０、ＢＳ３  １１２）に関するそれぞれ無線交信可能地域を表す。具体例の実施形態では、各セル１０２，１０４，１０６は、３個のセクタ（Ａ，Ｂ，Ｃ）を含む。セル１  １０２は、セクタＡ１１４、セクタＢ１１６、及びセクタＣ１１８を含む。セル２  １０４は、セクタＡ１２０、セクタＢ１２２、及びセクタＣ１２４を含む。セル３  １０６は、セクタＡ１２６、セクタＢ１２８、及びセクタＣ１３０を含む。他の実施形態では、異なる数のセクタ、例えば、セル当り１セクタ、セル当り２セクタ、又はセル当り３より多くのセクタ、が可能である。その上、異なるセルは、異なる数のセクタを含むことができる。
【００２８】
ワイアレス端末（ＷＴ：wireless terminal）、例えば、移動体ノード（ＭＮ：mobile node）は、システム全体を移動でき、そしてＢＳへのワイアレス・リンクを介してピアー・ノード、例えば、別のＭＮ、と通信できる。セル１  １０２のセクタＡ１１４において、ＷＴ（１３２，１３４）は、それぞれワイアレス・リンク（１３３，１３５）を介してＢＳ１  １０８に接続される。セル１  １０２のセクタＢ１１６において、ＷＴ（１３６，１３８）は、それぞれワイアレス・リンク（１３７，１３９）を介してＢＳ１  １０８に接続される。セル１  １０２のセクタＣ１１８において、ＷＴ（１４０，１４２）は、それぞれワイアレス・リンク（１４１，１４３）を介してＢＳ１  １０８に接続される。セル２  １０４のセクタＡ１２０において、ＷＴ（１４４，１４６）は、それぞれワイアレス・リンク（１４５，１４７）を介してＢＳ２  １１０に接続される。セル２  １０４のセクタＢ１２２において、ＷＴ（１４８，１５０）は、それぞれワイアレス・リンク（１４９，１５１）を介してＢＳ２  １１０に接続される。セル２  １０４のセクタＣ１２４において、ＷＴ（１５２，１５４）は、それぞれワイアレス・リンク（１５３，１５５）を介してＢＳ２  １１０に接続される。
【００２９】
複数のＢＳは、ネットワークを介して一緒に接続されることができる、そのようにして与えられたセルの外に位置する複数のピアーへの与えられたセル内部の複数のＷＴに対する接続性を提供する。システム１００において、ＢＳ（１０８，１１０，１１２）は、それぞれネットワーク・リンク（１７０，１７２，１７４）を介してネットワーク・ノード１６８に接続される。ネットワーク・ノード１６８、例えば、ルータは、他のネットワーク・ノード、例えば、別の基地局、ルータ、ホーム・エージェント・ノード、ＡＡＡサーバ・ノード、等に、及びネットワーク・リンク１７６を介してインターネットに接続される。ネットワーク・リンク１７０，１７２，１７４，１７６は、例えば、光ファイバ・リンクであり得る。
【００３０】
ＢＳ１０８，１１０，１１２は、セクタに分けられた送信機を含み、各セクタ送信機は、本発明にしたがって、通常のシグナリング、例えば、特定の（複数の）ＷＴに宛てられたダウンリンク・トラフィック信号、に対して特別に割り当てられたキャリア周波数を使用する。通常のシグナリングに対して使用されるセクタ送信機の割り当てられたキャリア周波数は、同様に、ＢＳから複数のＷＴへの、例えば、割り当て信号、パイロット信号、及び／又はビーコン信号のような同報通信信号を搬送する。その上、本発明にしたがって、各基地局セクタ送信機は、例えば、それらの通常のシグナリングに対して隣接するセル／セクタ送信機に割り当てられたキャリア周波数帯域の範囲内でパイロット信号及び／又はビーコン信号のような追加のダウンリンク信号を送信する。そのようなダウンリンク信号は、ＷＴ、例えば、ＷＴ１３２へ情報を提供する、これは、どのキャリア周波数を選択するかそしてどの対応する基地局セクタ／セルを接続点として使用するかを、評価するためそして決定するために使用されることができる。ＷＴ、例えば、ＷＴ１３２は、ＢＳ１０８，１１０，１１２セクタ送信機からの情報を処理する能力がある受信機を含み、選択肢の複数のキャリア周波数帯域上に情報を提供する。そのキャリア周波数帯域は、通常の通信、例えば、ＷＴへのダウンリンク・トラフィック・チャネル・シグナリングのために使用されることができ、そしてＷＴによって選択されることができる。
【００３１】
図２は、本発明にしたがって与えられる具体例の基地局２００、あるいは、アクセス・ノードと呼ばれる、を図示する。ＢＳは、アクセス・ノードと呼ばれる、その理由は、ＷＴのネットワーク接続の点として機能し、そしてネットワークへのＷＴのアクセスを提供するためである。図２の基地局２００は、図１のシステム１００の基地局１０８，１１０，１１２のいずれかのより詳細な表示であり得る。基地局２００は、バス２１４を介して一緒に接続されたプロセッサ２０２、例えば、ＣＰＵ、デコーダ２０６を含む受信機２０４、セクタ化された送信機２０８、メモリ２１０、及びＩ／Ｏインターフェース２１２を含み、バスを介して種々のエレメントがデータ及び情報を交換できる。受信機２０４は、セクタに分割されたアンテナ２１６に接続され、そして基地局２００によってカバーされたセクタの各々の中のワイアレス端末３００（図３参照）から信号を受信できる。受信機のデコーダ２０６は、受信されたアップリンク信号をデコードし、そして送信の前にＷＴ３００によってエンコードされた情報を抽出する。セクタ化された送信機２０８は、複数の送信機、セクタ１送信機２１８、セクタＮ送信機２２０、を含む。各セクタ送信機（２１８，２２０）は、ダウンリンク・データ／情報をエンコードするためのエンコーダ（２２２，２２４）を含み、そしてそれぞれアンテナ（２２６，２２８）に接続される。各アンテナ２２６，２２８は、異なるセクタに対応し、そしてそのセクタにアンテナが対応しそして配置されることができるセクタに送信するように通常は向けられる。アンテナ２２６，２２８は、別々であることがある又は異なるセクタのために別の素子を有する１つのマルチ・セクタ・アンテナの異なる素子に対応することがある。各セクタ送信機（２１８，２２０）は、通常のシグナリング、例えば、ダウンリンク・トラフィック・シグナリングに対して使用されるべき割り当てられたキャリア周波数帯域を有する。各セクタ送信機（２１８，２２０）は、それ自身の割り当てられたキャリア周波数帯域内でダウンリンク信号、例えば、割り当て信号、データ及び制御信号、パイロット信号、及び／又はビーコン信号、を送信することが可能である。各セクタ送信機（２１８，２２０）は、本発明にしたがって、同様に、別のキャリア周波数帯域、例えば、それらの通常のシグナリングに対して隣接するセル／セクタに割り当てられたキャリア周波数帯域内に追加のダウンリンク信号、例えば、パイロット信号及び／又はビーコン信号を送信する。基地局Ｉ／Ｏインターフェース２１２は、基地局２００を別のネットワーク・ノード、例えば、別のアクセス・ノード、ルータ、ＡＡＡサーバ、ホーム・エージェント・ノード、及びインターネットに接続する。メモリ２１０は、ルーチン２３０及びデータ／情報２３２を含む。プロセッサ２０２は、ルーチン２３０を実行し、そしてメモリ２１０中のデータ／情報２３２を使用して基地局２００の動作を制御する。基地局２００の動作は、本発明にしたがって異なるパワー・レベル、パワー制御、タイミング制御、通信、シグナリング、及びビーコン・シグナリング、を使用して異なるキャリア周波数上のユーザをスケジュールすることを含む。特定のキャリア周波数上の特定のユーザ、例えば、特定のＷＴ３００、のスケジューリングは、本発明にしたがって、ＷＴ３００によって実行された選択への応答であることができる。
【００３２】
メモリ２１０中のデータ／情報２３２は、データ２３４、例えば、ワイアレス端末３００に送信されようとしているユーザ・データ及びワイアレス端末３００から受信されようとしているユーザ・データ、各セクタに関係するキャリア周波数及びセクタ内の各キャリア周波数に関係するデータ送信パワー・レベルを含むセクタ情報２３６、複数のキャリア周波数情報（キャリア１情報２３８、キャリアＮ情報２４０）、ビーコン情報２４２、及びシステム・ローディング情報２４３を含む。キャリア周波数情報（２３８，２４０）は、キャリアの周波数及び関係する帯域幅を規定する情報を含む。ビーコン情報２４２は、トーン情報、例えば、固有の周波数及びキャリアを有する各セクタにおけるビーコン信号に関係する情報、及びビーコン信号を送信するために関係するシーケンス・タイミングを含む。システム・ローディング情報２４３は、基地局２００によってサポートされる種々のキャリア帯域の各々の複合ローディング情報を含む。システム・ローディング情報２４３は、基地局２００からＷＴ３００に送信されることができる。ＷＴ３００は、ある複数の実施形態では、ＷＴ受信機内部で設定する帯域の選択の決定プロセスにおいて、情報を使用できる。
【００３３】
メモリ２１０中のデータ／情報２３２は、同様に、各ＷＴに対して１セットの、複数のＷＴデータ／情報２４４セット：ＷＴ１データ／情報２４６、ＷＴ  Ｎデータ／情報２４８、を含む。ＷＴ１データ／情報２４６は、ＷＴ１から／へ転送しているユーザ・データ、基地局２００にＷＴを関係付ける端末ＩＤ、そのセクタ中にＷＴ１が現在位置しているセクタを識別するセクタＩＤ、及びダウンリンク・シグナリングのために使用される特定のキャリア周波数にＷＴ１を関係付けるキャリア周波数情報を含む。
【００３４】
基地局ルーチン２３０は、通信ルーチン２５０及び基地局制御ルーチン２５２を含む。通信ルーチン２５０は、基地局２００によって使用される種々の通信プロトコルを与えることができる。基地局制御ルーチン２５２は、スケジューラ・モジュール２５４及びシグナリング・ルーチン２５６を含む。基地局制御ルーチン２５２は、本発明にしたがって受信機２０４、送信機（２１８，２２０）を含む基地局動作、スケジューリング、シグナリング、及びビーコン・シグナリングを制御する。スケジューラ・モジュール２５４、例えば、スケジューラは、アップリンク通信及びダウンリンク通信のためにワイアレス端末３００への無線リンク・リソース、例えば、時間のあいだの帯域幅、をスケジューリングするために使用される。基地局制御ルーチン２５２は、同様にシグナリング・ルーチン２５６を含む。これは、受信機２０４、デコーダ２０６、送信機２１８，２２０、エンコーダ２２２，２２４、通常の信号発生、データ及び制御トーン・ホッピング、及び信号繰り返しを制御する。シグナリング・ルーチン２５６に同様に含まれたビーコン・ルーチン２５８は、本発明にしたがってビーコン信号の発生及び送信を制御するためにビーコン情報２４２を使用する。本発明にしたがって、ある複数の実施形態では、ビーコン信号、例えば、周波数に関して相対的に狭い高パワー信号は、そのセクタ／セルによって又は隣接するセクタ／セルによって使用されるキャリア周波数帯域の各々において各セクタ内に送信されることができる。これらのビーコン信号は、ある複数の実施形態では、選択肢の利用可能なキャリアを比較するため、そして選択肢のキャリアを使用している選択肢のダウンリンク・チャネルを比較するためにＷＴ３００によって使用される。
【００３５】
図３は、本発明にしたがって実行されそして本発明の方法を使用する、具体例のワイアレス端末３００、例えば、移動体ノード、を図示する。図３のワイアレス端末３００は、図１のシステムのＷＴ１３２，１３４，１３６，１３８，１４０，１４２，１４４，１４６，１４８，１５０，１５２，１５４，１５６，１５８，１６０，１６２，１６４，１６６のいずれかのより詳細な説明であり得る。ワイアレス端末３００は、バス３１０を介して一緒に接続された受信機３０２，送信機３０４，プロセッサ３０６、例えば、ＣＰＵ、及びメモリ３０８を含み、バスを介して種々のエレメントがデータ及び情報を交換できる。
【００３６】
受信機３０２は、アンテナ３１２に接続され、アンテナ３１２を通してダウンリンク信号が複数の基地局セクタ送信機及び対応するセクタ・アンテナ２２６，２２８から受信される。受信機３０２は、単一スペクトル拡散受信機チェーン３１４、及び帯域選択コントローラ３１６を含む。スペクトル拡散受信機チェーン３１４は、フィルタリング及び他の動作を実行するためのＲＦモジュール（周波数同期回路）３２０を含む。ＲＦモジュール３２０は、選択された帯域の範囲外の周波数を除去し、他方で選択された帯域の範囲内になる周波数、例えば、キャリア信号を通すための制御可能なパスバンド・フィルタ３２１を含む。増設モジュール３２２は、ディジタル信号処理モジュール３２４、及びエネルギー検出／ＳＮＲ検出モジュール３３４とともに受信機チェーン３１４に含まれる。ディジタル信号処理モジュール３２４は、デコーダ３２６及び信号品質検出器モジュール３２８を含む。
【００３７】
ＲＦモジュール３２０、受信機チェーン増設モジュール３２２、ディジタル信号処理モジュール３２４、及びエネルギー検出／ＳＮＲ検出モジュール３３４は、種々の信号を受信するため、デコーディングするため、測定するため、そして評価するために使用され、種々の信号は、特定の第１のキャリア周波数に関係付けられた現在選択されている第１の帯域を使用して複数のセル／セクタ基地局送信機によって伝送される、例えば、割り当て信号、ダウンリンク・トラフィック・チャネル・データ及び情報信号、パイロット信号、及び／又はビーコン信号を含む。帯域選択コントローラ３１６は、特定のキャリア周波数を選択するためにそこに含まれているＲＦモジュール３２０及び調節可能なフィルタ３２１に信号を出力する；ＲＦモジュール３２０は、選択されたキャリア周波数帯域の範囲内の受信した信号成分を通し、そして選択されたキャリア周波数帯域の範囲外の少なくとも複数の信号を除去する。ＲＦモジュール３２０は、しかも追加の処理を実行する、例えば、複数の信号がベースバンドに混成される。ＲＦモジュール３２０により通過された出力信号は、処理される、例えば、ベースバンドによってフィルタされ、アナログ信号からディジタル信号に変換され、そしてディジタル・フィルタによって、受信機チェーン増設モジュール３２２によってさらにフィルタされる。それから、信号は、増設モジュール３２２から出力され、そしてディジタル信号処理モジュール３２４及びエネルギー検出／ＳＮＲ検出モジュール３３４に転送される。現在選択されている帯域に対応する、例えば、第１の基地局セル／セクタ送信機からのある複数の信号成分は、ディジタル信号処理モジュール３２４によって処理される；他方で、別のキャリア帯域に対応する、例えば、第２のセル／セクタ送信機からの別の信号成分は、エネルギー検出／ＳＮＲ検出モジュール３３４によって処理される。ディジタル信号処理モジュールは、デコーダ３２６を含み、これは特定のＷＴ３００に向けられたダウンリンク・トラフィック信号をデコードできる；他方でエネルギー検出／ＳＮＲ検出モジュール３３４は、そのようなデコーディング能力を含まない。
【００３８】
ディジタル信号処理モジュール３２４の信号品質検出器モジュール３２８からの及びエネルギー検出／ＳＮＲ検出モジュール３３４からの出力、例えば、品質指標値は、帯域選択モジュール３１６に入力される、帯域選択モジュール３１６は、本発明にしたがって、ＲＦモジュール（周波数同期回路）３２０における周波数帯域設定の選択を制御する。
【００３９】
送信機３０４は、エンコーダ３３６を含み、そして送信機アンテナ３３８に接続される。データ／情報、例えば、アップリンク・データ／情報のブロックは、エンコーダ３３６によってエンコードされることができ、そしてそれから基地局２００にアンテナ３３８を経由して送信される。
【００４０】
メモリ３０８は、ルーチン３４０及びデータ／情報３４２を含む。プロセッサ３０６、例えば、ＣＰＵは、ルーチン３４０を実行し、そしてメモリ３０８中のデータ／情報３４２を使用してＷＴ３００を動作させ、そして本発明の方法を実行する。
【００４１】
ワイアレス端末データ／情報３４２は、ユーザ・データ３４４、ユーザ・デバイス／セッション・リソース情報３４６、現在の選択されたキャリア情報３４８、選択肢のキャリア情報３５０、セル／セクタ情報３５２、キャリア周波数情報３５４、検出された信号情報３５６、及びキャリア選択情報３５８を含む。
【００４２】
ユーザ・データ３４４は、ワイアレス端末３００を用いた通信セッションにおいてピアー・ノードへ送信しようとしている／又はそこから受信しようとしているデータ、情報及びファイルを含む。ユーザ／デバイス／セッション・リソース情報３４６は、例えば、端末ＩＤ情報、基地局ＩＤ情報、セクタＩＤ情報、選択されたキャリア周波数情報、モード情報、及び識別されたビーコン情報を含む。端末ＩＤ情報は、その基地局にＷＴ３００が接続されている基地局２００によってＷＴ３００に割り当てられた識別子であることができ、それは基地局２００に対するワイアレス端末３００を識別する。基地局ＩＤ情報は、例えば、基地局２００に関係付けられ、そしてホッピング・シーケンスにおいて使用されるスロープの値であることができる。セクタＩＤ情報は、セクタに分けられた基地局の送信機／受信機のセクタＩＤを識別する情報を含み、その送信機／受信機を経由して通常のシグナリングが通信され、そしてそのセクタ内にワイアレス端末３００が位置しているセルのセクタに対応することがある。選択されたキャリア周波数情報は、キャリア、例えば、そのキャリアにＲＦモジュールが同調されているキャリアを識別する情報、ダウンリンク・データ・シグナリング、例えば、トラフィック・チャネル信号のためにＢＳによって使用される情報を含む。モード情報は、ワイアレス端末３００がオン状態／ホールド状態／スリープ状態にあるかどうかを識別する。
【００４３】
現在の選択されたキャリア情報３４８は、そのキャリアにＲＦモジュール３２０が帯域選択コントローラ３１６によって同調されている選択されたキャリアを識別する情報を含む。選択肢のキャリア情報３５０は、そのキャリアへの情報が対応するエネルギー検出／ＳＮＲ検出モジュール３３４によって評価されている選択肢のキャリアを識別する情報を含む。セル／セクタＩＤ情報３５２は、データ、情報、制御信号、及びビーコン信号の処理において、送信において、及び受信において使用されるホッピング・シーケンスを構築するために使用される情報を含むことができる。キャリア周波数情報３５４は、特定のキャリア周波数又は複数のキャリア周波数、周波数帯域、ビーコン信号、及び複数のトーンのセットを有する通信システム中の基地局の各セクタ／セルに関係する情報を含むことができる。キャリア周波数情報３５４は、同様に、品質指標関係情報３５５を含み、これは特定のキャリア周波数と各品質指標値とを関係付け、この特定のキャリア周波数は、帯域選択コントローラ３１６によって選択されることができる。
【００４４】
検出された信号情報３５６は、信号エネルギー情報３６０、ＳＮＲ情報３６２、推定されたエラー情報３６４、第１の品質指標値３６６、及び第２の品質指標値３６８を含む。検出された信号情報３５６は、同様に、同期情報３７０、及び同報通信信号情報３７２を含む。
【００４５】
検出された信号情報３５６は、ディジタル信号処理モジュール３２４の信号品質検出器３２８から出力されてきている情報、及び受信機３０２中のエネルギー検出／ＳＮＲ検出モジュール３３４から出力されてきている情報を含む。信号品質検出器モジュール３２８は、第１の送信機からの信号成分の信号エネルギー３６０、ＳＮＲ３６２、及び／又は推定されたエラー・レート３６４を測定しそして記録でき、そしてその帯域に受信機３０２が現在設定されているキャリア帯域を使用している時に、第１の送信機とＷＴ３００との間のチャネル、例えば、ダウンリンク・トラフィック・チャネルの品質の指標である第１の品質指標値３６６を決定する。エネルギー検出／ＳＮＲ検出モジュール３３４は、第２の送信機からの信号成分の信号エネルギー３６０、及び／又はＳＮＲ３６２を測定しそして記録でき、そして可能性のあるチャネル、例えば、第２の帯域と選択肢のキャリア帯域との間のダウンリンク・トラフィック・チャネルの指標である第２の品質指標値３６８を決定する。
【００４６】
同期情報３７０は、ある複数の実施形態では、例えば、ＣＤＭＡパイロット信号を処理している間に、受信機によって使用される及び／又は取得される、例えば、パイロット信号に基づいたタイミング同期情報を含むことができる。ある複数のＯＦＤＭ実施形態では、同期情報は、シンボル・タイミング回復情報を含むことができる。同報通信情報３７２は、信号、例えば、パイロット信号又はビーコン信号を処理している間に、受信機によって使用される及び／又は取得される、例えば、同報通信に関係した情報を含むことができる。
【００４７】
キャリア選択情報３５８は、予め決められたしきい値情報３７４、予め選択されたインターバル情報３７６、レートの変更情報３７８，サービスの品質（ＱｏＳ：Quality of Service）情報３８０、及びシステム・ローディング情報３８２を含む。キャリア選択情報３５８は、検出された信号情報を評価している時に、例えば、第１の品質指標値３６６を第２の品質指標値３６８と比較している時に、帯域選択判断を行う際にＷＴ３００によって使用される情報、例えば、基準、限度、等である。予め決められたしきい値情報３７４は、帯域選択判断を行うために品質指標値３６６，３６８に対して比較するために使用されるレベルを含む。予め選択されたインターバル情報３７６は、一定期間の時間インターバル及び一定数の信号測定のインターバルを含む。その各々は、帯域選択コントローラ３１６がＲＦモジュール３２０に対する選択を変更する前に、そのインターバルにおいて、例えば、第２の品質指標が第１の品質指標を超える一貫した状態が存在するはずである、予め決められたインターバルを規定するために使用されることができる。レートの変更情報３７８は、第１の信号品質指標値３６６が時間の間に減少する一方で、第２の信号品質指標値３６８が時間の間に増加し、そして第１の品質指標値と第２の品質指標値との間の差が符号の正負を変える時を識別するために使用する基準を含む。サービスの品質（ＱｏＳ）情報３８０は、個々のユーザに提供されるＱｏＳ、１つのユーザに提供されようとしているＱｏＳのレベルの関数としての帯域選択、及びそのユーザに提供されようとしているＱｏＳのレベルの変更の結果としての選択における変更、に関係する情報を含む。システム・ローディング情報３８２は、帯域選択に関する機能制御判断に使用されることができる基地局２００によって通信されるシステム・ローディングに関係する受信した情報を含む。
【００４８】
ＷＴルーチン３４０は、通信ルーチン３８４及びワイアレス端末制御ルーチン３８６を含む。ワイアレス端末通信ルーチン３８４は、ワイアレス端末３００によって使用される各種の通信プロトコルを与える。ワイアレス端末制御ルーチン３８６は、ワイアレス端末３００の機能的制御動作を実行し、それは本発明にしたがったパワー制御、タイミング制御、シグナリング制御、データ処理、Ｉ／Ｏ、受信機制御及びキャリア帯域選択機能を含む。ＷＴ制御ルーチン３８６は、シグナリング・ルーチン３８８、受信機制御モジュール３９０及びキャリア帯域選択モジュール３９２を含む。メモリ３０８中のデータ／情報３４２を使用するシグナリング・ルーチン３８８は、ＷＴ３００のシグナリング、例えば、アップリンク通信された信号及びダウンリンク通信された信号を制御する。モジュール３２４，３３４と協調して受信機コントローラ・モジュール３９０は、本発明にしたがって、デコーディング、受信された信号について実行されるエネルギー検出及び／又はＳＮＲ検出、及び第１の品質指標値及び第２の品質指標値３６６，３６８の発生、を含む受信機３０２の動作を制御する。帯域選択コントローラ３１６と協調してキャリア帯域選択モジュール３９２は、本発明にしたがって、第１の品質指標値及び第２の品質指標値３６６，３６８、同様にキャリア選択情報３５８を含む受信した信号から導き出されたデータ／情報を使用して、受信機３０２のＲＦモジュール３２０を同調させるために選択するキャリアに関する判断を行う。
【００４９】
図４は、本発明にしたがって与えられる具体例のワイアレス端末受信機５０１／アンテナ５０２組み合わせ５００の例である。図４の受信機／アンテナ組み合わせ５００は、図３のＷＴ３００中の受信機３０２／アンテナ３１２組み合わせとして使用されることができる。受信機５０１は、本発明にしたがった受信機の具体例の実施形態を図示し、これは同時に同じ選択されたキャリア帯域中に含まれる受信した信号の２つの成分を処理でき、各成分は異なる情報、例えば、異なる送信機によって送信された及び／又は異なる送信アンテナによって送信された２つの異なるキャリア帯域のうちの１つに対応する情報を搬送する。２つの信号成分は、１つのセルの異なるセクタ及び／又は異なるセルに対応することができる。
【００５０】
図４の受信機５０１は、単一ＲＦ処理モジュール（周波数同期モジュール）５０２を含む単一ＲＦ処理チェーンを使用する。受信機５０１は、複数のセクタ／セル基地局送信機からのダウンリンク信号を受信するアンテナ５０４に接続される。アンテナ５０４は、ＲＦ処理モジュール５０２に接続される。ＲＦ処理モジュール５０２は、選択可能なＲＦフィルタ５０６及びミキサ回路５０８を含む。ＲＦフィルタ５０６は、パスバンド・フィルタとして与えられることができ、そして周波数同期回路として機能する。ＲＦ処理モジュール５０２は、帯域選択コントローラ５１０によって選択されたキャリア周波数に同調されている。ＲＦフィルタは、選択されたキャリア帯域の範囲内の受信した信号成分を通し、そして選択されたキャリア帯域の範囲外の少なくとも複数の信号成分を除去する。
【００５１】
アンテナ５０４からの受信したパスバンド信号は、ＲＦフィルタ５０６に入力され、そしてミキサ回路５０８によって処理されて、結果としてベースバンド信号になる。結果としてのベースバンド信号は、ＲＦ処理モジュール５０２から出力され、そしてベースバンド・フィルタ５１２に入力される。ベースバンド・フィルタ５１２からのフィルタされた出力は、Ａ／Ｄコンバータ・モジュール５１４に入力され、そこでアナログからディジタルへの変換が実行される。結果としての出力ディジタル信号は、追加のフィルタリングのためにディジタル・フィルタ５１６に入力される。その後、ディジタル・フィルタ５１６の出力、例えば、第１の基地局セル／セクタ送信機からもともと供給される第１の信号成分５１７は、ディジタル信号処理モジュール５１８に入力され、他方で、別の１つのディジタル・フィルタ５１６の出力、例えば、第２の基地局セル／セクタ送信機からもともと供給された第２の信号成分５１９は、エネルギー検出／ＳＮＲ検出モジュール５３６に出力される。ディジタル信号処理モジュール５１８は、タイミング同期モジュール５２２、デコーダ５２３、及び信号品質検出器５２６を含む。それゆえ、ディジタル信号処理モジュール５１８は、同報通信情報、同様にＷＴ固有の情報、例えば、個々のＷＴのために向けられそして別のＷＴのためではない情報、を完全にデコーディングすることが可能である。
【００５２】
タイミング同期モジュール５２２は、処理される受信したデータ、例えば、受信したダウンリンク信号のタイミング同期のために使用される。ＣＤＭＡ実施形態、同様にＯＦＤＭ実施形態が、予想される。ＣＤＭＡ実施形態におけるタイミング同期モジュール５２２は、公知の逆拡散技術を使用して与えられることができる。ＯＦＤＭ実施形態におけるタイミング同期モジュール５２２は、公知の技術を使用するシンボル・タイミング再生回路として与えられることができる。デコーダ５２３は、受信した同報通信信号、例えば、ビーコン信号、パイロット信号等をデコーディングするための同報通信モジュール５２４、及びそのＷＴに受信機５０１が属している特定のＷＴ３００に対して向けられた受信したダウンリンク・データ／情報、例えば、ダウンリンク・トラフィック信号をデコーディングするための移動体固有モジュール５２５を含む。
【００５３】
信号品質検出器５２６は、信号エネルギー測定回路５２８、ＳＮＲ回路５３０及び／又はエラー推定器５３２を含む。信号品質検出器５２６は、ダウンリンク・トラフィック・チャネル・シグナリングのために使用される、第１の基地局セル／セクタ送信機からＷＴ３００へのチャネルに関する品質推定値を取得する。品質推定値は、信号エネルギー測定回路５２８の出力、測定された信号エネルギーの関数であるＳＮＲ回路５３０の出力、及び／又はエラー推定器５３２によって決定された受信したデータ／情報の測定されたエラー・レート又は推定されたエラー・レートに基づく。品質推定情報５３３、例えば、現在の選択されたキャリア帯域に対応する品質指標値は、帯域選択帯判断を行う際に使用するために域選択コントローラ５１２に転送される。
【００５４】
図４の実行手段では、第２の信号成分処理は、別のセットの受信機構成要素、例えば、オプションのタイミング同期モジュール、オプションの同報通信検出器５３４、及びエネルギー検出／ＳＮＲ検出モジュール５３６によって実行されるように示される。しかしながら、ディジタル信号処理モジュール５１８の要素が時間で分けられたベースで使用されることが可能であることは、高く評価され、そこでは、品質指標値を発生させるため第１の信号成分及び第２の信号成分は同じタイプ、例えば、ＯＦＤＭ信号である。第２の信号成分がビーコン信号又は品質指標値を発生させるためにタイミング同期及び／又はデコーディングが必要とされない別の信号である場合には、タイミング同期モジュール５２０及び同報通信デコーダ５３４は、省略されることがある。しかしながら、第１の信号成分が第１のタイプの信号、例えば、ＯＦＤＭ信号に対応し、そして第２の信号成分が第２のタイプの信号、例えば、ＣＤＭＡ信号に対応する場合には、第１の信号成分及び第２の信号成分に対する信号品質値を発生させるための別々の信号及び／又はモジュールは、異なるタイプの信号を取り扱うように構成されることが可能な回路系、例えば、再構成可能な回路系を使用するよりもさらにコスト効率的であり得る。
【００５５】
ある複数の実施形態では、例えば、ＣＤＭＡ実施形態では、第２の信号成分５１９は、タイミング同期モジュール５２０を経由して処理される。ＣＤＭＡ実施形態におけるタイミング同期モジュール５２０は、公知の逆拡散技術を使用して与えられることができる。ある複数の実施形態では、例えば、各種のＣＤＭＡ実施形態では、第２の信号成分５１９は、同様に同報通信デコーダ５３４を経由して処理される。
【００５６】
上に説明されたオプションの処理に供されることがある、第２の信号成分は、エネルギー検出及び／又はＳＮＲ検出モジュール５３６に入力される。エネルギー検出及び／又はＳＮＲ検出モジュール５３６によって評価されようとしている処理された受信信号成分は、例えば、ある複数のＯＦＤＭ実施形態では、第２の送信機、例えば、第１の信号成分を送信する第１のセル／セクタ基地局送信機に関して隣接するセル／セクタ基地局送信機、から送信された検出されたビーコン信号であり得る。エネルギー検出及び／又はＳＮＲ検出モジュール５３６によって評価される処理された受信信号成分は、例えば、ある複数のＣＤＭＡ実施形態では、第２の送信機、例えば、第１の信号成分を送信する第１のセル／セクタ基地局送信機に関係する隣接するセル／セクタ基地局送信機から送信された検出されたパイロット信号であり得る。エネルギー検出及び／又はＳＮＲ検出モジュール５３６は、第２のセル／セクタ基地局送信機と評価される第２の信号成分に対応するＷＴ３００との間の可能性のあるダウンリンク・チャネルに対する品質推定値として使用されることが可能な情報、信号品質推定値情報５３７を発生する。発生された品質推定値は、信号エネルギー測定値又は検出された信号エネルギーの関数であるＳＮＲ測定値に基づいている。信号品質推定値情報５３７は、帯域選択判断をする際に使用するために、例えば、第１の信号成分と第２の信号成分とにそれぞれ対応する第１の周波数帯域と第２の周波数帯域との間で選択するために、帯域選択コントローラ５１０に転送される。
【００５７】
複数の実施形態では、エネルギー検出及び／又はＳＮＲ検出モジュール５３６は、ゲートの数又は実行可能な命令の数のいずれかにおいて、ディジタル信号処理モジュール５１８よりも演算上の複雑性がより単純である。多くの場合に、第２の信号成分に対応する品質推定情報を発生させるために、受信した信号成分をデコードすることが必要でないという理由で、これは可能であり、そして、デコーディングが使用される場合には、同報通信データのデコーディングに限定されることが可能であり、同報通信データは、移動体固有のデータよりもデコードすることが容易であり、その理由は、移動体固有のデータの場合に比べて使用されるコーディングのタイプのためである及び／又は同報通信信号が複数の移動デバイスに到達するように意図されているので移動体固有のデータのパワー送信レベルよりも多くの場合同報通信データのパワー送信レベルが高いためである。
【００５８】
ディジタル信号処理モジュール５１８及びエネルギー検出及び／又はＳＮＲ検出モジュール５３６からそれぞれ転送された信号成分品質情報（５３３，５３７）は、ＲＦ処理モジュール５０２によって使用されるべきキャリア周波数帯域の設定に関する判断を行ために、バンド選択コントローラ５１０によって使用される。例えば、どの帯域が、そしてそれゆえどの基地局セクタ送信機が、ダウンリンク通信を受信するために選択されるべきかである。
【００５９】
ある複数の実施形態では、図４の受信機５０１は、スペクトル拡散信号、例えば、ＣＤＭＡ及び／又はＯＦＤＭ、を処理するスペクトル拡散受信機である。ある複数のＯＦＤＭ実施形態では、第２の成分に対応するオプションのタイミング同期モジュール５２０は、使用されない。ある複数のＯＦＤＭ実施形態では、同報通信デコーダ５３４が使用されることがあるが、他方で別のＯＦＤＭ実施形態では、同報通信デコーダ５３４は必要とされず、そして省略される。第２の信号成分がＣＤＭＡ信号である実施形態では、タイミング同期モジュール５２０は使用されるが、同報通信デコーダ５３４は使用されることがある又は使用されないことがある。
【００６０】
図４の受信機５０１は、ディジタル信号処理モジュール５１８、エネルギー検出／ＳＮＲ検出モジュール５３６及び帯域選択コントローラ５１０にバス５０９を介して接続されたＩ／Ｏインターフェース５０７を含み、バスを介して種々のエレメントがデータ及び情報を交換できる。他の実施形態では、バス５０９は、別の受信機構成要素、例えば、同報通信デコーダ５３４、及び／又はタイミング同期デコーダ５３４に接続されることができる。受信機５０１は、バス３１２に受信機５０１を接続するＩ／Ｏインターフェース５０７を介してＷＴ３００の別の要素と通信できる。デコードされたダウンリンク・トラフィック・チャネル信号は、例えば、ディスプレイのような１又はそれより多くの外部デバイス及び／又は別のＷＴ構成要素にインターフェース５０７を介して伝達されることがある。
【００６１】
図５は、図４の単一ＲＦ処理モジュール受信機５００を使用する本発明の具体例の実施形態を説明するために使用する説明図６００である。セルの、例えば、それぞれ隣接のセクタＡ及びＢからの２つの送信機６０２，６０４は、例えば、通常のトラフィック・チャネル信号、例えば、ユーザ・データ、オプションのパイロット信号、及びビーコン信号を含むダウンリンク信号を送信している。送信機６０２，６０４は、別のセクタ又はセルの方向に向けられた別のアンテナを使用できる。各セクタ送信機からのシグナリングは、それ自身に指定されたキャリア周波数帯域内に通常のシグナリング、例えば、割り当て信号、オプションのパイロット信号、及び／又はオプションのビーコン信号、そして１つのセル中で使用される１又はそれより多くの、例えば、別の２つの、キャリア周波数帯域内のビーコン信号を含む。ＢＳセクタＡ送信機６０２は、キャリア周波数ｆ０  ６２４を有する周波数帯域６１８内に、例えば、セクタＡダウンリンク・トラフィック信号、セクタＡ割り当て信号、オプションのセクタＡパイロット信号、及び／又はオプションのセクタＡビーコン信号を含むダウンリンク信号６０６を送信し、キャリア周波数ｆ１  ６２６を有する周波数帯域６２０内にオプションのセクタＡビーコン信号６０８を送信し、そしてキャリア周波数ｆ２  ６２８を有する周波数帯域６２２内にセクタＡビーコン信号６１０を送信する。ＢＳセクタＢ送信機６０４は、キャリア周波数ｆ２  ６２８を有する周波数帯域６２２内に、例えば、セクタＢダウンリンク・トラフィック信号、セクタＢ割り当て信号、オプションのセクタＢパイロット信号、及び／又はオプションのセクタＢビーコン信号を含むダウンリンク信号６１２を送信する。ＢＳセクタＢ送信機６０４は、同様にキャリア周波数ｆ０  ６２４を有する周波数帯域６１８内にセクタＢビーコン信号を送信し、そしてキャリア周波数ｆ１  ６２６を有する周波数帯域６２０内にセクタＢビーコン信号６１６を送信する。
【００６２】
受信機６３０、例えば、図４の受信機５００の具体例の実施形態は、キャリア周波数ｆ０  ６２４を有する周波数帯域６１８に同調される。受信機６３０は、２つの信号成分６３２，６３４を受信する。例えば、ＢＳセクタＡ送信機６０２からの通常のシグナリング、割り当て信号、パイロット信号、及び／又はビーコン信号を含む、第１の信号成分６３２は、ディジタル信号処理モジュール５１８によって処理され、他方で、第２の信号成分６３４、例えば、ＢＳセクタＢ送信機６０４からのビーコン信号は、エネルギー検出／ＳＮＲ検出モジュール５３６によって処理される。第１の成分６３２からそしてディジタル信号処理モジュール５１８を使用して、受信機６３０は、キャリア周波数ｆ０  ６２４及び周波数帯域６１８を使用してＢＳセクタＡ送信機から受信機６３０への間のダウンリンク・トラフィック・チャネルの品質推定値を決定する。第２の成分６３４からそしてエネルギー検出／ＳＮＲ検出モジュール５３６を使用して、受信機６３０は、キャリア周波数ｆ２  ６２８及び周波数帯域６２２を使用してＢＳセクタＢ送信機６０４と受信機６３０との間の可能性のある選択肢のダウンリンク・トラフィック・チャネルの品質推定値を決定する。
【００６３】
本発明のある複数の実施形態では、ビーコン信号は、使用されないことがあり、そして別のダウンリンク信号が、帯域選択判断のために受信されそして処理されることがある。例えば、各セクタ及び／又はセル送信機は、通常のダウンリンク・トラフィック・チャネル・シグナリングのためにその送信機によって使用される周波数帯域において、ある複数のダウンリンク信号、例えば、割り当て信号、セクタ／セル基地局識別信号、及び／又はパイロット信号を送信し、そして同様に、別の送信機の通常のダウンリンク・トラフィック・シグナリングのために別の、例えば、隣接する、セクタ／セル送信機によって使用される別の周波数帯域内にある複数の追加のダウンリンク信号、例えば、セクタ／セル基地局識別信号、及び／又はパイロット信号を送信する。別の周波数帯域内への送信は、定期的なインターバルで発生することがあり、そしてそこにその送信機が対応するセクタ内への信号の送信に関係する短い時間の期間に対応することがある。
【００６４】
図４の単一ＲＦチェーン受信機５００のような、受信機は、本発明にしたがって、１つの周波数帯域に同調されるが、その周波数帯域内に送信する複数のセル及び／又はセクタ送信機からのダウンリンク信号成分を受信する。受信機は、複合信号、同調された周波数帯域内の複合信号、２つの異なる送信機からの第１の信号成分及び第２の信号成分を含む複合信号を受信しそして処理する。情報は、第１の信号成分及び第２の信号成分から発生されることができ、成分は、各々の周波数帯域が異なる信号成分に対応する２つの選択肢の周波数帯域に関する品質指標情報を確実にするために使用されることが可能である、そして使用される。
【００６５】
１つの特定の具体例のＯＦＤＭ（Orthogonal Frequency Division Multiplexed：直交周波数分割マルチプレックスされた）実施形態では、ビーコン信号は、例えば、１つの又は２，３のトーンを使用して、周波数に関して狭い信号として送信される比較的高パワーの信号として与えられる。ビーコン信号が具体例のＯＦＤＭ実施形態において送信される場合に、送信パワーの大部分は、ビーコン信号を備える１つ又は少数のトーンに集中される。ある複数の実施形態では、第１の信号成分６３２は、第１の送信機に対応するビーコン信号成分を含み、他方で第２の信号成分は、第２の、例えば、通常別のセクタ及び／又はセルに対応する別の送信機に対応するビーコン信号を含む。１つのそのような実施形態では、キャリア選択は、ビーコン信号の評価に基づく。ある複数の実施形態では、ビーコン信号は、パスバンド・フィルタの帯域に比較して周波数幅が狭い、例えば、大きくともパスバンド・フィルタの周波数幅の１／２０である。
【００６６】
本発明にしたがって、第１の信号成分及び第２の信号成分は、例えば、現在選択された帯域内の異なる周波数上に、同時に送信されることができる。あるいは、第１の信号成分及び第２の信号成分は、連続して送信されることが可能でありそして受信されることが可能である。図６Ａ、図６Ｂは、本発明にしたがって通信システムを動作させる具体例の方法を説明するフローチャート７００である。図６は、図６Ａ及び図６Ｂの組み合わせを備える。動作は、ステップ７０２において始まり、そこでは通信システムが初期化される、例えば、基地局が再初期化され、そして移動体ノードが電源を入れられる。動作は、ステップ７０２からステップ７０４に進む。
【００６７】
ステップ７０４において、第１の基地局送信機、これは第１の周波数帯域で主に送信する、は、前記第１の周波数帯域内に第１の信号成分を送信するように動作される。動作は、ステップ７０４からステップ７０６へ進む。ステップ７０６において、第２の基地局送信機、これは第２の周波数帯域で主に送信する、は、前記第１の周波数帯域内に第２の信号成分を、例えば、定期的に送信するように動作される。ステップ７０８において、前記第１の基地局送信機は、第１の周波数帯域とは異なる前記第２の周波数帯域内に信号を、例えば、定期的に送信するように動作される。ある複数の実施形態では、第２の周波数帯域は、第１の周波数帯域の完全に範囲外であり、他方で別の実施形態では、第１の周波数帯域と第２の周波数帯域とに部分的な重なりがあり得る。ある複数の実施形態では、第１の送信機及び第２の送信機は、同じセルの別のセクタ内に置かれる；第１の信号成分は、第１のアンテナ又は前記同じセルの第１のセクタに対応するアンテナ素子を使用して送信され；そして第２の信号成分は、第２のアンテナ又は前記同じセルの第２のセクタに対応するアンテナ素子を使用して送信される。ある複数の実施形態では、第１の送信機及び第２の送信機は、別のセル内に置かれる。そのような実施形態では、第１の信号成分は、第１のアンテナ又は第１のセルに対応するアンテナ素子を使用して送信され、そして、第２の信号成分は、第２のアンテナ又は第２のセルに対応するアンテナ素子を使用して送信される。動作は、ステップ７０８からステップ７１０に進む。
【００６８】
ステップ７１０において、移動体ノードの受信機は、第１の成分及び第２の信号成分を含んでいる信号を受信するように動作される。ある複数の実施形態では、信号は、ある時間のピリオドにわたり受信され、そして第１の信号成分及び第２の信号成分は、時間の異なる点で受信される。ある複数の実施形態では、第１の信号成分及び第２の信号成分は、例えば、第１の周波数帯域の範囲内の別の周波数上で同じ時間に受信される。
【００６９】
その後ステップ７１２において、前記移動体ノードの受信機中のパスバンド・フィルタは、前記第１の信号成分及び第２の信号成分を通すように動作され、前記第１の信号成分及び第２の周波数成分は選択された周波数帯域の範囲内である。パスバンド・フィルタは、第１の周波数帯域の範囲外の信号を除去する。ある複数の実施形態では、例えば、第１の信号成分及び第２の周波数成分がビーコン信号であるＯＦＤＭ実施形態では、第１の信号成分及び第２の信号成分は、前記パスバンド・フィルタの幅に比較して周波数幅が狭い、例えば、パスバンド・フィルタの周波数幅の大きくとも１／２０である。ある複数の実施形態では、そこでは第１の周波数帯域及び第２の周波数帯域は、幅で少なくとも１ＭＨｚであり、パスバンド・フィルタは、幅で２ＭＨｚより狭いパスバンドを有する。
【００７０】
動作は、ステップ７１２からステップ７１４に進む。ステップ７１４において、前記移動体ノードは、前記第１の信号成分に第１の信号測定を実行するように動作して、第１の信号品質指標を発生する。ステップ７１６において、前記移動体ノードは、前記第２の信号成分に第２の信号測定を実行するように動作して、第２の信号品質指標を発生する。動作は、ステップ７１６からステップ７１８に進む。ステップ７１８において、移動体ノードは、前記第１の品質指標及び第２の品質指標の関数として、第１の周波数帯域において動作することと前記第２の周波数成分に関係する第２の周波数帯域において動作することとの間で選択するように動作される。動作は、ステップ７１８からステップ７２０に進む。
【００７１】
ある複数の実施形態では、受信するステップ７１０、フィルタするステップ７１２、及び測定ステップ７１４，７１６は、複数回繰り返され、そしてステップ７１８の前記第１の周波数帯域と前記第２の周波数帯域との間で選択することは、予め決められたインターバル、例えば、予め決められた期間の時間インターバル又は一定の数の信号測定、のあいだ第２の品質指標が前記第１の品質指標を超えた後に実行される。これは、短い期間又は状態の過渡的な変化に応答して帯域を切り替えることを防止するために行われる。
【００７２】
ある複数の実施形態では、選択することは、予め決められたしきい値に基づく。例えば、選択することは、下記を含む：第１の信号品質値及び第２の信号品質値が予め決められたインターバルのあいだ前記予め決められたしきい値を両者とも超える場合に、低い方の信号品質値に対応する周波数帯域を選択することである。それゆえ、両方の信号成分が満足する状態を示す場合に、低い方の品質、例えば、より低いパワーの帯域が、選択されることができ、高い方のパワー帯域を自由にして別の１つの移動体によって使用されるようにする。
【００７３】
前記第１の信号品質値と第２の信号品質値のうちの１つが前記予め決められたしきい値よりも低く、それによって信号品質が問題であるときにより良い帯域を選択する場合に、選択することは、高い方の信号品質値に対応する周波数帯域を選択することを含むことができる。前記第１の信号品質値が時間のあいだ減少し、そして前記第２の信号品質値が時間のあいだ増加し、そして第１の品質値と第２の品質値との差が符合の正負を変化させる場合に、これはワイアレス端末が第２の信号成分の送信機の方に向かっていて第１の成分の送信機から離れていることを示している場合に、選択は、第２の周波数帯域を選択することを同様に含むことが可能である。
【００７４】
ある複数の実施形態では、選択するステップは、移動体ノード、例えば、ユーザに提供されようとしているサービスの品質（ＱｏＳ）の関数であり、前記選択する関数は、前記ユーザに提供されようとしているＱｏＳの変化を示している情報に応じて変化する。この変化は、周波数帯域を選択するために前記選択モジュールによって使用されるしきい値品質の変化として与えられることができる。
【００７５】
ある複数の実施形態では、選択するステップは、通信システム・ローディングの関数であり、そして本方法は、さらに通信システム・ローディングの指標である情報を、例えば、基地局から受信し、そして通信システム・ローディングにおける変化の指示に応じて前記選択する関数を修正する移動体ノードを備える。例えば、ワイアレス端末が第１の周波数帯域の頻繁な使用を検出する場合には、選択は、選択決定の際に使用する重みを変えることができて、第２の周波数帯域に対してより強い優先権を生み出す。
【００７６】
ステップ７２０において、第１の周波数帯域が選択されるか又は第２の周波数帯域が選択されるかどうかに基づいて、動作は、管理される。第１の周波数帯域が選択されるのであれば、動作は接続ノードＡ７２２を介してステップ７０４に進む：しかしながら、第２の周波数帯域が選択されるのであれば、動作は、ステップ７２４に進む。
【００７７】
ステップ７２４において、パスバンド・フィルタは、前記第１の帯域の代わりに前記第２の帯域を通すように制御される。動作は、ステップ７２４からステップ７２８に接続ノードＢ７２６を介して進む。
【００７８】
ステップ７２８において、第２の基地局送信機、これは主に第２の周波数帯域内に送信する、は、前記第２の周波数帯域内に第３の信号成分を送信するように動作される。ステップ７３０において、第１の基地局送信機又は第３の基地局送信機、これは主に第１の周波数帯域内に送信する、は、前記第２の周波数帯域内に第４の信号成分を送信するように動作される。ステップ７３２において、第２の基地局は、前記第１の周波数帯域内に信号を送信するように動作される。ステップ７３４において、移動体ノードの受信機は、第３の信号成分及び第４の信号成分を含んでいる信号を受信するように動作される。動作は、ステップ７３４からステップ７３６に進む。ステップ７３６において、移動体ノード中の前記パスバンド・フィルタは、第２の周波数帯域の範囲内である第３の信号成分及び第４の信号成分を通すように動作される。ステップ７３８において、移動体ノードは、第３の信号品質指標を発生させるために前記第３の信号成分に第３の信号測定を実行するように動作される。ステップ７４０において、移動体ノードは、第４の信号品質指標を発生させるために前記第４の信号成分に第４の信号測定を実行するように動作される。動作は、ステップ７４０からステップ７４２に進む。
【００７９】
ステップ７４２において、移動体ノードは、前記第３の信号品質指標及び第４の信号品質指標の関数として、第１の周波数帯域において動作することと第２の周波数帯域において動作することとの間で選択するように動作される。動作は、ステップ７４２からステップ７４４に進む。
【００８０】
ステップ７４４において、動作は、第１の周波数帯域又は第２の周波数帯域が選択されるかどうかに基づいて進む。もし第２の周波数帯域が選択されるのであれば、動作は、ステップ７４４からステップ７２８へ接続ノードＣ７４８を介して進む。しかしながら、第１の周波数帯域が選択されるのであれば、動作は、ステップ７４４からステップ７４６に進む、そこでは、移動体ノード中のパスバンド・フィルタは、前記第２の周波数帯域の代わりに前記第１の周波数帯域を通すように制御される。動作は、ステップ７４６からステップ７０４へ接続ノードＡ７２２を介して進む。
【００８１】
図７−１２は、本発明にしたがった具体例のワイアレス端末受信機による具体例の信号及び帯域選択を説明するために使用される。
【００８２】
図７は、本発明にしたがって実行され、複数キャリア及びスペクトル拡散ＯＦＤＭシグナリングをサポートする具体例のワイアレス通信システム８００の一部を示す。システム８００は、図１のシステム１００の具体例の実施形態であり得る。図７は、複数の具体例の複数セクタ・セル、セル１  ８０２、セル２  ８０４、セル３  ８０６を含む。各セル（８０２，８０４，８０６）は、それぞれ基地局（ＢＳ）、（ＢＳ１  ８０８、ＢＳ２  ８１０、ＢＳ３  ８１２）、に対するワイアレス交信可能地域を表す。ＢＳ８０８，８１０，８１２は、図２の具体例の実施形態のＢＳ２００であり得る。ＢＳ８０８，８１０，８１２は、ネットワークを介して一緒に接続され、そして別のネットワーク・ノード及びインターネットに接続される。具体例の実施形態では、各セル８０２，８０４，８０６は、３個のセクタ（Ａ，Ｂ，Ｃ）を含む。セル１  ８０２は、セクタＡ８１４、セクタＢ８１６、及びセクタＣ８１８を含む。セル２  ８０４は、セクタＡ８２０、セクタＢ８２２、及びセクタＣ８２４を含む。セル３  ８０６は、セクタＡ８２６、セクタＢ８２８、及びセクタＣ８３０を含む。図７は、同様に、本発明にしたがって実行される具体例のＷＴ８０１を含む。ＷＴ８０１は、図３のＷＴ３００の具体例の実施形態であり得る。具体例のＷＴ８０１の現在の接続の点は、ＢＳ１  ８０８のセクタ３  ８１８送信機である。ＷＴ８０１は、矢印８０３によって示されたようにＢＳ２  ８１０に向かって移動している。
【００８３】
図８は、本発明にしたがって与えられる具体例のワイアレス端末受信機９０１／アンテナ９０２組み合わせ９００の例である。図８の受信機／アンテナ組み合わせ９００は、図３のＷＴ３００中の受信機３０２／アンテナ３１２組み合わせ又は図７のＷＴ８０１として使用されることができる。受信機９０１は、本発明にしたがった具体例の実施形態の受信機を図示し、これは同じ選択されたキャリア帯域内に含まれる受信した信号の複数の成分を処理することが可能であり、各成分は、異なる情報、例えば、異なる送信機及び／又は異なる送信アンテナによって送信された別のキャリア帯域に対応する情報、を伝達する。図８の実施形態は、両方の信号成分が同じ技術、例えば、同じタイプの変調、を使用して通信される場合に好適である。
【００８４】
図８の受信機９０１は、単一ＲＦ処理モジュール（周波数同期モジュール）９０２を含む単一ＲＦ処理チェーンを使用する。受信機９０１は、アンテナ９０４に接続され、アンテナ９０４は複数のセクタ／セル基地局送信機からダウンリンク信号を受信する。アンテナ９０４は、ＲＦ処理モジュール９０２に接続される。ＲＦ処理モジュール９０２は、制御可能なＲＦフィルタ９０６及びミキサ回路９０８を含む。ＲＦフィルタ９０６は、パスバンド・フィルタとして与えられることができ、そして周波数同期回路として機能する。ＲＦ処理モジュール９０２は、帯域選択コントローラ９１０によって選択されたキャリア周波数に同調されている。ＲＦフィルタは、選択されたキャリア帯域の範囲内の受信した信号成分を通し、そして選択されたキャリア帯域の範囲外の少なくともある信号成分を除去する。
【００８５】
アンテナ９０４から受信したパスバンド信号は、ＲＦフィルタ９０６に入力され、そしてミキサ回路９０８によって処理されて、結果としてベースバンド信号になる。結果としてのベースバンド信号は、ＲＦ処理モジュール９０２から出力され、そしてベースバンド・フィルタ９１２に入力される。ベースバンド・フィルタ９１２からのフィルタされた出力は、Ａ／Ｄコンバータ・モジュール９１４に入力され、そこではアナログからディジタルへの変換が実行される。結果としての出力ディジタル信号は、追加のフィルタリングをするためにディジタル・フィルタ９１６に入力される。ディジタル・フィルタ９１６の出力は、ディジタル信号処理モジュール９１８に入力される。ディジタル信号処理モジュール９１８は、タイミング同期モジュール９２２，デコーダ９２３、ビーコン識別モジュール９２７、及び信号品質検出器９２６を含む。それゆえ、ディジタル信号処理モジュール９１８は、同報通信情報と同様にＷＴ固有の情報、例えば、他のＷＴではなく個々のＷＴに向けられた情報を完全にデコーディングすることが可能である。
【００８６】
タイミング同期モジュール９２２は、受信した処理されるデータ、例えば、受信したダウンリンク信号のタイミング同期のために使用される。タイミング同期モジュール９２２は、公知の技術を使用するシンボル・タイミング再生回路として与えられることができる。デコーダ９２３は、受信した同報通信信号、例えば、割り当て信号、パイロット信号、等をデコーディングするための同報通信モジュール９２４、及びそこに受信機９０１が属している特定のＷＴ３００（又はＷＴ８０１）に対して向けられた受信したダウンリンク・データ／情報、例えば、ダウンリンク・トラフィック信号をデコーディングするための移動体固有のモジュール９２５を含む。
【００８７】
ビーコン識別モジュール９２７は、その主ダウンリンク・シグナリングのために使用する特定のキャリア周波数に関係する特定の基地局セクタ送信機を用いて処理される受信したビーコン信号を識別する。各ビーコン信号は、例えば、全部又はほぼ全部のセクタ送信機エネルギーが１つのトーンに集中されている１つのＯＦＤＭシンボル時間を占有する信号であり得る。ＯＦＤＭビーコン信号の特性のために、タイミング同期モジュール９２２又はデコーダ・モジュール９２３を通して信号を処理する必要なしに、ビーコン識別モジュール９２７は、ビーコン信号を識別できる。
【００８８】
信号品質検出器９２６は、信号エネルギー測定回路９２８及びＳＮＲ回路９３０を含む。信号品質検出器９２６は、受信した識別されたビーコン信号の測定値に基づいて複数の基地局セル／セクタ送信機からＷＴ３００への異なるチャネルに対する品質推定値を発生する。品質推定値は、信号エネルギー測定回路９２８出力及び／又は測定された信号エネルギーの関数であるＳＮＲ回路９３０出力に基づく。各受信した識別されたビーコンに対応する信号品質推定情報９３３，９３５，９３７、例えば、品質指標値は、帯域選択コントローラ９１０に転送されて、帯域選択判断を行う際に使用される。
【００８９】
ディジタル信号処理モジュール９１８から転送された信号品質推定情報（９３３，９３５，９３７）は、ＲＦ処理モジュール９０２によって使用されようとしているキャリア周波数帯域の設定に関する判断を行うために、帯域選択コントローラ９１０によって使用される、例えば、どの帯域そしてそれゆえどの基地局セクタ送信機が、ダウンリンク通信を受信するために選択されるべきであるかである。
【００９０】
図８の受信機９０１は、ディジタル信号処理モジュール９１８及び帯域選択コントローラ９１０にバス５０９を介して接続されたＩ／Ｏインターフェース９０７を含み、バスを介して種々のエレメントがデータ及び情報を交換できる。他の実施形態では、バス５０９は、別の受信機構成要素、例えば、ディジタル・フィルタ９１６に接続されることがある。受信機９０１は、受信機９０１をバス３１２に接続するＩ／Ｏインターフェース９０７を介してＷＴ３００の別のエレメントと通信できる。デコードされたダウンリンク・トラフィック・チャネル信号は、例えば、ディスプレイのような１又はそれより多くの外部デバイス及び／又は別のＷＴ構成要素にＩ／Ｏインターフェース９０７を介して伝達され得る。
【００９１】
図８では、帯域選択コントローラ９１０の出力は、ＲＦ処理モジュール９０２を制御するために使用される。他の実施形態では、帯域選択コントローラ９１０は、ディジタル・フィルタ９１６及び／又はディジタル信号処理モジュール９１８に接続されることがあり、そして帯域選択コントローラ９１０の出力は、ディジタル・フィルタリング９１６及び／又はディジタル信号処理モジュール９１８を制御するために使用されることが可能である。そのようなケースでは、ＲＦ処理モジュール９０２は、受信した信号の広い部分、例えば、複数の帯域を受信しそして通す、そしてディジタル・フィルタリング９１６及び／又はディジタル信号処理モジュール９１８は、制御信号又は帯域選択コントローラ９１０から受信した信号にしたがって、さらに処理しフィルタするために受信した信号の一部分を選択する又は受信した信号の残りの部分を破棄する。
【００９２】
図９は、本発明にしたがった具体例の送信機シグナリングを説明する図１０００である。５ＭＨｚの全体システムＢＷ１００１を使用する図７の具体例のセル当り３セクタの複数セルワイアレス通信システム８００内の具体例のワイアレス端末、例えば、ＷＴ８０１があると、仮定する。ワイアレス端末８０１、例えば、移動中の移動体ノードは、システム８００内に現在位置しており、その結果、ＢＳセル１セクタＣ送信機１００２からある複数の信号、ＢＳセル２セクタＢ送信機１００４からある複数の信号、ＢＳセル３セクタ送信機１００６からある複数の信号を受信することが可能である、と仮定する。ＷＴ８０１は、以前は送信機１００２に最も近かったが、現在は送信機１００４に最も近いと仮定する。
【００９３】
ＢＳセル１セクタＣ送信機１００２は、１．２５ＭＨｚ  ＢＷ帯域１０１０の範囲内のキャリア周波数ｆ０  １００８を使用してダウンリンク信号１０２０を送信する。信号１０２０は、小さな長方形によって表されたＷＴに対するダウンリンク・トラフィック信号１０２１、及び大きな黒くされた長方形で表されたビーコン信号１０２４を含む。ビーコン信号は、通常の信号よりも大きなサイズで図示されていて、ビーコン信号が通常の信号よりもトーン当りのベースではるかに大きな送信エネルギー集中を有することを図示し、そのような信号を検出し易くしている。関心のある特定のＷＴ８０１に対して向けられたダウンリンク・トラフィック信号１０２２、例えば、スペクトル拡散ＯＦＤＭ信号は、黒くされている。その上、ＢＳセル１セクタＣ送信機１００２は、キャリア周波数ｆ１  １０１２を有する１．２５ＭＨｚ  ＢＷ帯域１０１４内にダウンリンク信号１０２６を送信する。ダウンリンク信号１０２６は、ビーコン信号１０２８を含む。ＢＳセル１セクタＣ送信機１００２は、しかもキャリア周波数ｆ２  １０１６を有する１．２５ＭＨｚ  ＢＷ帯域１０１８内にダウンリンク信号１０３０を送信する。ダウンリンク信号１０３０は、ビーコン信号１０３２を含む。この具体例の実施形態では、ビーコン信号（１０２４，１０２８，１０３２）及び通常のシグナリング（１０２１）は、異なる時間に送信機１００２によって送信される。大部分の時間、送信機１００２は、通常のダウンリンク・シグナリング１０２１を送信するが、時々、例えば、定期的に、送信機１００２は、ビーコン信号に集中された全体の又はほぼ全体のセクタ送信パワーで、通常のシグナリングの代わりにビーコン信号（１０２４，１０２８，又は１０３２）を送信する。送信機１００２がビーコン１０２４，１０２８，１０３２を繰り返して循環させるように、タイミング・シーケンスは、構築されることが可能である。
【００９４】
ＢＳセル２セクタＢ送信機１００４は、１．２５ＭＨｚ  ＢＷ帯域１０１４の範囲内のキャリア周波数ｆ１  １０１２を使用してダウンリンク信号１０３８を送信する。信号１０３８は、小さな長方形によって表されたＷＴに対するダウンリンク・トラフィック信号１０４０、及び大きな黒くされた長方形で表されたビーコン信号１０４２を含む。その上、ＢＳセル２セクタＢ送信機１００４は、周波数帯域１０１０内にダウンリンク信号１０３４を送信する。ダウンリンク信号１０３４は、ビーコン信号１０３６を含む。ＢＳセル２セクタＢ送信機１００４は、同様に、周波数帯域１０１８内にダウンリンク信号１０４４を送信する。ダウンリンク信号１０４４は、ビーコン信号１０４６を含む。この具体例の実施形態では、ビーコン信号（１０３６，１０４２，１０４６）及び通常のシグナリング（１０４０）は、異なる時間に送信機１００４によって送信される。大部分の時間、送信機１００４は、通常のダウンリンク・シグナリング１０４０を送信するが、時々、例えば、定期的に、送信機１００４は、ビーコン信号に集中された全体の又はほぼ全体のセクタ送信パワーで、通常のシグナリングの代わりにビーコン信号（１０３６，１０４２，又は１０４６）を送信する。送信機１００４がビーコン１０３６，１０４２，１０４６を繰り返して循環させるように、タイミング・シーケンスは、構築されることが可能である。
【００９５】
ＢＳセル３セクタＡ送信機１００６は、１．２５ＭＨｚ  ＢＷ帯域１０１８の範囲内のキャリア周波数ｆ２  １０１６を使用してダウンリンク信号１０５６を送信する。信号１０５６は、小さな長方形によって表されたＷＴに対するダウンリンク・トラフィック信号１０５８、及び大きな黒くされた長方形で表されたビーコン信号１０６０を含む。その上、ＢＳセル３セクタＡ送信機１００６は、周波数帯域１０１０内にダウンリンク信号１０４８を送信する。ダウンリンク信号１０４８は、ビーコン信号１０５０を含む。ＢＳセル３セクタＡ送信機１００６は、同様に、周波数帯域１０１４内にダウンリンク信号１０５２を送信する。ダウンリンク信号１０５２は、ビーコン信号１０５４を含む。この具体例の実施形態では、ビーコン信号（１０５０，１０５４，１０６０）及び通常のシグナリング（１０５８）は、異なる時間に送信機１００６によって送信される。大部分の時間、送信機１００６は、通常のダウンリンク・シグナリング１０５８を送信するが、時々、例えば、定期的に、送信機１００６は、ビーコン信号に集中された全体の又はほぼ全体のセクタ送信パワーで、通常のシグナリングの代わりにビーコン信号（１０５０，１０５４，又は１０６０）を送信する。送信機１００６がビーコン１０５０，１０５４，１０６０を繰り返して循環させるように、タイミング・シーケンスは構築されることが可能である。
【００９６】
この具体例の実施形態では、ビーコン信号（１０２４，１０２８，１０３２，１０３６，１０４２，１０４６，１０５０，１０５４，１０６０）の各々は、同じ送信パワー・レベルで送信される。他の実施形態では、異なる送信パワー・レベルが、異なるビーコン信号に対して使用されることができ、ＷＴは、各ビーコン信号に割り当てられた送信パワーを知る、又は異なる複数のビーコン信号に割り当てられた複数の送信パワー・レベルの間の関係を知ることを提供される。
【００９７】
図１０は、ＷＴ受信機８０１の受信アンテナにおける具体例の複合信号１００２及び関係する周波数情報を説明する図１１００である。信号１１０２は、成分１１０４，１１０６，１１０８，１１１０，１１１２，１１１４，及び１１１６を含む。成分１１０４，１１０８，１１１２，及び１１１６は、関心のある周波数帯域１０１０、１０１４，１０１８の範囲外のノイズ信号を表す。
【００９８】
信号１１０６は、キャリア周波数ｆ０  １００８を有する帯域１０１０の範囲内に送信された信号１０２０，１０３４，及び１０４８の複合の受信したコピーを表す；信号１１０６は、しかも追加のノイズも含む。送信されたビーコン信号１０２４及び通常のシグナリング１０２１，１０２２は、例えば、チャネル・ゲインのために強度が中間的に低下してきており、結果として受信した信号（１０２４’、１０２１’、１０２２’）になる。送信されたビーコン信号１０３６は、例えば、チャネル・ゲインのために強度がわずかに低下してきており、結果として受信したビーコン信号１０３６’になる。ビーコン信号１０５０は、例えば、チャネル・ゲインのために強度が著しく低下してきており、結果として受信したビーコン信号１０５０’になる。図９について説明したものと同様に、図１０の信号１０２４’、１０２２’及び１０２１’、１０５０’及び１０３６’は、異なる時間の瞬間に受信されることがある。
【００９９】
信号１１１０は、キャリア周波数ｆ１  １０１２を有する帯域１０１４の範囲内に送信された信号１０２６，１０３８，１０５２の複合の受信したコピーを表す；信号１１１０は、しかも追加のノイズも含む。送信されたビーコン信号１０４２及び通常のシグナリング１０４０は、例えば、チャネル・ゲインのために強度がわずかに低下してきており、結果として受信した信号（１０４２’、１０４０’）になる。送信されたビーコン信号１０２８は、例えば、チャネル・ゲインのために強度が中間的に低下してきており、結果として受信したビーコン信号１０２８’になる。送信されたビーコン信号１０５４は、例えば、チャネル・ゲインのために強度が著しく低下してきており、結果として受信したビーコン信号１０５４’になる。
【０１００】
信号１１１４は、キャリア周波数ｆ２  １０１６を有する帯域１０１８の範囲内に送信された信号１０３０，１０４４，１０５６の複合の受信したコピーを表す；信号１１１４は、しかも追加のノイズも含む。送信されたビーコン信号１０６０及び通常のシグナリング１０５８は、例えば、チャネル・ゲインのために強度が著しく低下してきており、結果として受信した信号（１０６０’、１０５８’）になる。送信されたビーコン信号１０３２は、例えば、チャネル・ゲインのために強度が中間的に低下してきており、結果として受信したビーコン信号１０３２’になる。送信されたビーコン信号１０４６は、例えば、チャネル・ゲインのために強度がわずかに低下してきており、結果として受信したビーコン信号１０４６’になる。
【０１０１】
図１１は、本発明にしたがって図１０の具体例の複合の受信した信号１１０２の図８の受信機９００による具体例の処理を説明する図１２００である。受信機９００を含んでいるＷＴ８０１は、ダウンリンク・トラフィック・シグナリングのために送信機１００２を使用するＢＳ１セクタ３に現在接続され、そしてそれゆえ、ＲＦ処理モジュール９０２は、帯域コントローラ９１０からの信号１２０２によって制御されており、キャリア周波数ｆ０  １００８を用いる帯域１０１０を選択する。ＲＦ処理モジュール９０２は、信号１１０２からベースバンド信号１１０６’、信号１１０６に含まれた情報のフィルタされた表示、を抽出する。信号１１０６’は、それぞれ信号（１０２１’、１０２２’、１０２４’、１０３６’、１０５０’）に対応する、通常のシグナリング１０２１”、ＷＴ８０１のために明確に向けられた通常のシグナリング１０２２”、及びビーコン信号１０２４”、１０３６”、１０５０”を含む。
【０１０２】
矢印１２０６は、受信機チェーン構成要素９１２，９１４，９１６による追加の処理、例えば、ベースバンド・フィルタリング、Ａ／Ｄ変換、及びディジタル・フィルタリング、を表す。その後、信号は、ディジタル信号処理モジュール９１８に入力される。ビーコン識別モジュール９２７は、セル１セクタＣ送信機１００２に関係するものとしてビーコン信号１０２４”を識別する。送信機１００２は、ダウンリンク・トラフィック・チャネル通信のために自身が割り当てられた帯域としてキャリア周波数ｆ０  １００８及び帯域１０１０を使用する。ビーコン識別モジュール９２７は、セル２セクタＢ送信機１００４に関係するものとしてビーコン信号１０３６”を識別する。送信機１００４は、ダウンリンク・トラフィック・チャネル通信のために自身が割り当てられた帯域としてキャリア周波数ｆ１  １０１２及び帯域１０１４を使用する。ビーコン識別モジュール９２７は、セル３セクタＡ送信機１００６に関係するものとしてビーコン信号１０５０”を識別する。送信機１００６は、ダウンリンク・トラフィック・チャネル通信のために自身が割り当てられた帯域としてキャリア周波数ｆ２  １０１６及び帯域１０１８を使用する。
【０１０３】
識別されたビーコン情報及びビーコン信号１０２４”、１０３６”、と１０５０”は、信号品質検出器９２６に転送される、そこでは、エネルギー保有量及び／又はＳＮＲ情報が取得され、そしてビーコン信号（１０２４”、１０３６”、１０５０”）に対応する品質推定情報（９３３，９３５，９３７）が発生される。このＯＦＤＭ実施形態では、ビーコン識別、ビーコン信号測定、及び信号品質指標発生は、タイミング同期モジュールを使用しないで、又はビーコン信号から変調された情報をデコードする必要なしに実行される。他の実施形態では、情報は、ビーコン信号上に変調されることができ、そして同報通信デコード・モジュールが使用されることがある。その上、他の実施形態では、追加の情報が品質推定値を発生する際に考慮されることがある。例えば、受信した通常の信号１０２２”、例えば、特定のＷＴ８０１に向けられたダウンリンク・トラフィック・チャネル信号からデコードされた情報のエラー・レートは、ビーコン信号１０２４”に対応するチャネルの品質を評価する時に考慮されることがある。その上、別の検出されたビーコン信号が、例えば、別の１つのセルからの、同じキャリアに対応することがある場合に、複数のビーコン信号間の比率は、干渉レベルを決定する際に使用されることができる。
【０１０４】
品質推定情報１  ９３３は、処理されたビーコン信号１０２４”のエネルギー推定値及び／又はＳＮＲ推定値に基づき、そしてキャリア周波数ｆ０を使用している送信機１００２に対応する。品質推定情報２  ９３５は、処理されたビーコン信号１０３６”のエネルギー推定値及び／又はＳＮＲ推定値に基づき、そしてキャリア周波数ｆ１を使用している送信機１００４に対応する。品質推定情報１  ９３７は、処理されたビーコン信号１０５０”のエネルギー推定値及び／又はＳＮＲ推定値に基づき、そしてキャリア周波数ｆ２を使用している送信機１００６に対応する。
【０１０５】
帯域選択コントローラは、情報９３３，９３５と９３７を受信し、チャネル２の品質がチャネル３の品質よりも良いチャネル１の品質よりも良いこと、そしてＷＴ８０１が接続点を変更すべきであることを決定する。適切な時に、例えば、サービスの中断を最小にするために、帯域選択コントローラ９１０は、ＲＦ処理モジュール９０２に信号１２０２’を送って、周波数ｆ１に選択を変更する。
【０１０６】
図１２は、ＷＴ８０１がその帯域選択及び接続点を変更した後の具体例の送信機シグナリングを説明する図１３００である。ＷＴ８０１は、ある複数の信号を、ＢＳセル１セクタＣ送信機１００２から、ＢＳ２セクタＢ送信機１００４からある信号、そしてＢＳ３セクタ送信機１００６からある信号、を受信できる。ＷＴ８０１は、以前は送信機１００２に最も近かったが、現在は送信機１００４に最も近いと仮定する。
【０１０７】
ＢＳセル１セクタＣ送信機１００２は、帯域１０１０の範囲内のキャリア周波数ｆ０  １００８を使用してダウンリンク信号１３２０を送信する。信号１３２０は、小さな長方形によって表された複数のＷＴに対するダウンリンク・トラフィック信号１３２１、及び大きな黒くされた長方形によって表されたビーコン信号１０２４を含む。その上、ＢＳセル１セクタＣ送信機１００２は、キャリア周波数ｆ１  １０１２を有する周波数帯域１０１４にダウンリンク信号１３２６を送信する。ダウンリンク信号１３２６は、ビーコン信号１０２８を含む。ＢＳセル１セクタＣ送信機１００２は、同様に、キャリア周波数ｆ２  １０１６を有する周波数帯域１０１８にダウンリンク信号１３３０を送信する。ダウンリンク信号１３３０は、ビーコン信号１０３２を含む。
【０１０８】
ＢＳセル２セクタＢ送信機１００４は、帯域１０１４の範囲内のキャリア周波数ｆ１  １０１２を使用してダウンリンク信号１３３８を送信する。信号１３３８は、黒くされた小さな長方形によって表された特定のＷＴ８０１に対するダウンリンク・トラフィック信号１３４１を含んでいる小さな長方形によって表された複数のＷＴに対するダウンリンク・トラフィック信号１３４０、及び大きな黒くされた長方形によって表されたビーコン信号１０４２を含む。その上、ＢＳセル２セクタＢ送信機１００４は、周波数帯域１０１０にダウンリンク信号１３３４を送信する。ダウンリンク信号１３３４は、ビーコン信号１０３６を含む。ＢＳセル２セクタＢ送信機１００４は、同様に、周波数帯域１０１８にダウンリンク信号１３３４を送信する。ダウンリンク信号１３３４は、ビーコン信号１０４６を含む。
【０１０９】
ＢＳセル３セクタＡ送信機１００６は、帯域１０１８の範囲内のキャリア周波数ｆ２  １０１６を使用してダウンリンク信号１３５６を送信する。信号１３５６は、小さな長方形によって表された複数のＷＴに対するダウンリンク・トラフィック信号１３５８、及び大きな黒くされた長方形によって表されたビーコン信号１０６０を含む。その上、ＢＳセル３セクタＡ送信機１００６は、周波数帯域１０１０にダウンリンク信号１３４８を送信する。ダウンリンク信号１３４８は、ビーコン信号１０５０を含む。ＢＳセル３セクタＡ送信機１００６は、同様に、周波数帯域１０１４にダウンリンク信号１３５２を送信する。ダウンリンク信号１３５２は、ビーコン信号１０５４を含む。
【０１１０】
図１３は、隣接するセクタに対してタイミング・オフセット１４１８を有する具体例のビーコン信号１４２０の図１４００であり、本発明の特徴をさらに説明する目的のために図示される。図１３は、本発明にしたがって与えられた具体例のＷＴ１４０２、例えば、図７のＷＴ８０１を含む。具体例のシステムが本発明にしたがってビーコン・シグナリングを使用するＯＦＤＭスペクトル拡散周波数ホップしたシステムである、と仮定する。タイム・ライン１４０４はＷＴ受信機１４０２における時間を表し、ＷＴ１４０２がＢＳ１セクタＣ送信機に現在接続されていて、その送信機のキャリア周波数帯域は、現在ダウンリンク・トラフィック・チャネル・シグナリングのために使用されていて、そしてＷＴ１４０２がＢＳ１セクタＣ送信機に関して同期されたＯＦＤＭシンボル・タイミングを有する、と仮定する。３つの連続したＯＦＤＭシンボル時間インターバル（１４０６，１４０８，１４１０）がＢＳ１セクタＣ送信機通信に対して示される。同様に、３つの連続したＯＦＤＭシンボル時間インターバル（１４１２，１４１４，１４１６）がＢＳ２セクタＢ送信機通信に対して示される。各ＯＦＤＭシンボル時間インターバル（１４０６，１４０８，１４１０，１４１２，１４１４，１４１６）は、ほぼ同じ期間である；しかしながら、ＢＳ１セクタＣ  ＯＦＤＭシンボル時間インターバルの開始とＢＳ２セクタＢ  ＯＦＤＭシンボル時間インターバルの開始との間に１０％オフセット１４１８がある。このタイミング・オフセットは、例えば、異なる正確な開始時間のような複数の基地局タイミング発生器間の差異、及び／又はＷＴ１４０２と各基地局送信機との間の異なる距離に起因する差異、のためであり得る。
【０１１１】
ＢＳセル２セクタＢ  ＯＦＤＭビーコン信号１４２０は、矢印１４２２によって示されたようにＷＴ１４０２に通信されてきている。時間インターバル１４１４の間に、ＢＳセル２セクタＢ  ＯＦＤＭビーコン信号１４２０は、ＷＴ受信機１４０２において現れる。しかしながら、ＷＴがＢＳ１セクタＣ送信機に対して接続されそして同期されているので、ＷＴ１４０２は、ビーコン信号１４２０のエネルギーの９０％を検出するだけであり、例えば、信号の最後の１０％を失う。しかしながら、この相対的に高レベルのエネルギー検出及び相対的に少量の関係する不確定性は、多くの場合、隣接するセル及び又は隣接するセクタからの複数のビーコン信号の比較をサポートすることに関して十分である。本発明にしたがって、複数のＯＦＤＭ実施形態では、受信機は、処理される各ビーコン信号に対するタイミングに関して受信機を再同期させる必要がない。
【０１１２】
ＯＦＤＭシステムの関係において主に説明されたが、本発明の方法及び装置は、多くの非ＯＦＤＭシステム及び／又は非セルラ・システムを含む広範囲の通信システムに適用可能である。
【０１１３】
種々の実施形態において、本明細書中に説明されたノードは、１又はそれより多くのモジュールを使用して与えられ、本発明の１又はそれより多くの方法に対応するステップ、例えば、キャリア帯域選択、ディジタル信号処理、エネルギー検出／ＳＮＲ検出、デコーディング、タイミング同期、信号品質検出、等を実行する。ある複数の実施形態では、本発明の種々の特徴が、複数のモジュールを使用して実行される。そのようなモジュールは、ソフトウェア、ハードウェア、又はソフトウェアとハードウェアの組み合わせを使用して実行されることができる。上に説明した方法又は方法のステップの多くは、例えば、１又はそれより多くのノードにおいて上に説明した方法の全て又は一部分を実行するために、機械、例えば、増設ハードウェアのある又はない汎用コンピュータ、を制御するために、メモリ・デバイス、例えば、ＲＡＭ，フロッピディスク（登録商標）等のような機械読み取り可能な媒体中に含まれた、ソフトウェアのような機械実行可能な命令を使用して実行されることができる。したがって、他の複数のものの中で、本発明は、上に記載された（複数の）方法の１又はそれより多くのステップを実行するために、機械、例えば、プロセッサ及び関係するハードウェア、に動作させるための機械実行可能な命令を含んでいる機械読み取り可能な媒体に向けられる。
【０１１４】
上に記載された本発明の方法及び装置の多くのさらなる変形は、本発明の上記の説明を考慮して当業者に明らかであろう。そのような変形は、本発明の範囲内であると考えられるべきである。本発明の複数の方法及び装置は、そして種々の実施形態において、ＣＤＭＡ通信技術，直交周波数分割マルチプレキシング（ＯＦＤＭ）通信技術、及び／又は種々のその他のタイプの通信技術、これは複数のアクセス・ノードと移動体ノードとの間のワイアレス通信リンクを提供するために使用されることができる、を用いて使用されることができる。ある複数の実施形態では、アクセス・ノードは、ＯＦＤＭ及び／又はＣＤＭＡを使用して移動体ノードと通信リンクを確立する基地局として与えられる。種々の実施形態において、移動体ノードは、ノートブック・コンピュータ、パーソナル・データ・アシスタンツ（ＰＤＡ）、又は本発明の方法を実行するための受信機／送信機回路及び論理素子及び／又はルーチン、を含むその他の携帯型デバイスとして実行される。
【符号の説明】
【０１１５】
１００…ワイアレス通信システム，１３３，１３５，１３７，１３９，１４１，１４３…ワイアレス・リンク，１７０，１７２，１７４，１７６…ネットワーク・リンク，２１６，２２６，２２８…アンテナ，２１４…バス，３１０…バス，３１２，３３８…アンテナ，５００…受信機／アンテナ組み合わせ，５０８…ミキサ回路，５０９…バス，６１８，６２０，６２２…周波数帯域，９００…受信機／アンテナ組み合わせ，１０２０…ダウンリンク信号，１０２１…ＷＴに対するダウンリンク・トラフィック信号，１０２２…関心のある特定のＷＴに対して向けられたダウンリンク・トラフィック信号，１０２４…ビーコン信号，１０２６，１０３０…ダウンリンク信号，１０２８，１０３２…ビーコン信号。
【図１】
2011211742.tif 000003
【図２】
2011211742.tif 000004
【図３】
2011211742.tif 000005
【図４】
2011211742.tif 000006
【図５】
2011211742.tif 000007
【図６Ａ】
2011211742.tif 000008
【図６Ｂ】
2011211742.tif 000009
【図７】
2011211742.tif 000010
【図８】
2011211742.tif 000011
【図９】
2011211742.tif 000012
【図１０】
2011211742.tif 000013
【図１１】
2011211742.tif 000014
【図１２】
2011211742.tif 000015
【図１３】
2011211742.tif 000016
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
通信方法、該方法は下記を具備する：
第１の成分及び第２の成分を含んでいる信号を受信すること、前記第１の成分は第１の周波数帯域上で主に送信する第１の接続点から受信され、前記第２の成分は、第２の周波数帯域上で主に送信し前記第１の周波数帯域上で時々送信する第２の接続点から受信され；
前記第１の信号成分及び前記第２の信号成分を通すように第１のフィルタを動作させること、前記第１の信号成分及び前記第２の信号成分は第１の周波数帯域の範囲内の異なる周波数上で受信され、前記第２の信号成分は第２の周波数帯域に対応する情報を搬送し；
前記第１の信号成分及び前記第２の信号成分を別々に出力するために第２のフィルタを動作させること；
第１の信号品質指標を発生させるために、前記第２のフィルタから出力された前記第１の信号成分に第１の信号測定を実行すること；
第２の信号品質指標を発生させるために、前記第２のフィルタから出力された前記第２の信号成分に第２の信号測定を実行すること；及び
前記第１の信号品質指標及び前記第２の信号品質指標の関数として前記第２の信号成分に関係する前記第２の周波数帯域において動作させることと前記第１の周波数帯域において動作させることとの間で選択すること。
【請求項２】
請求項１の方法、ここにおいて、前記第２の周波数帯域は、前記第１の周波数帯域の範囲外である。
【請求項３】
請求項２の方法、ここにおいて、前記受信するステップ、実行するステップ及び選択するステップは、移動体通信デバイスによって実行され、該方法は下記をさらに具備する：    前記第１の信号成分を送信するための、該第１の周波数帯域において主に送信する前記第１の接続点である第１の送信機を動作させること；及び
前記第１の周波数帯域内の前記第２の信号成分を送信するための、前記第２の周波数帯域において主に送信する前記第２の接続点である第２の送信機を動作させること。
【請求項４】
請求項３の方法、
ここにおいて、前記第１の送信機及び前記第２の送信機は、同じセルの異なるセクタ内に設置される；
ここにおいて、該第１の信号成分は、前記同じセルの第１のセクタに対応する第１のアンテナを使用して送信される；及び
ここにおいて、該第２の信号成分は、前記同じセルの第２のセクタに対応する第２のアンテナを使用して送信される。
【請求項５】
通信方法、該方法は下記を具備する：
第１の成分及び第２の成分を含んでいる信号を受信すること、前記第１の成分は第１の周波数帯域上で主に送信する第１の接続点から受信され、前記第２の成分は、第２の周波数帯域上で主に送信し前記第１の周波数帯域上で時々送信する第２の接続点から受信され；
前記第１の信号成分及び前記第２の信号成分を通すように第１のフィルタを動作させること、前記第１の信号成分及び前記第２の信号成分は第１の周波数帯域の範囲内であり、前記第２の信号成分は第２の周波数帯域に対応する情報を搬送し；
前記第１の信号成分及び前記第２の信号成分を別々に出力するために第２のフィルタを動作させること；
第１の信号品質指標を発生させるために、前記第２のフィルタから出力された前記第１の信号成分に第１の信号測定を実行すること；
第２の信号品質指標を発生させるために、前記第２のフィルタから出力された前記第２の信号成分に第２の信号測定を実行すること；及び
前記第１の信号品質指標及び前記第２の信号品質指標の関数として前記第２の信号成分に関係する前記第２の周波数帯域において動作させることと前記第１の周波数帯域において動作させることとの間で選択すること；
ここにおいて、前記信号は、時間の１つのピリオドにわたり受信される；及び
ここにおいて、前記第１の信号成分及び前記第２の信号成分は、時間の異なる点において受信される。
【請求項６】
請求項５の方法、ここにおいて、前記第１の信号成分及び前記第２の信号成分は、前記フィルタの幅と比較して周波数幅が狭い。
【請求項７】
請求項６の方法、ここにおいて、前記第１の信号成分及び前記第２の信号成分は、前記フィルタの周波数幅の大きくとも１／２０の周波数幅を有する。
【請求項８】
請求項３の方法、該方法は下記をさらに具備する：
該第２の周波数帯域に信号を定期的に送信するように該第１の送信機を動作させること。
【請求項９】
請求項３の方法、ここにおいて、該第１の周波数帯域及び該第２の周波数帯域は、幅が少なくとも１ＭＨｚである。
【請求項１０】
請求項９の方法、ここにおいて、前記フィルタは、幅が２ＭＨｚよりも小さな帯域を有する。
【請求項１１】
請求項３の方法、
ここにおいて、前記第１の送信機及び前記第２の送信機は、異なるセル内に設置される；
ここにおいて、該第１の信号成分は、第１のセルに対応する第１のアンテナを使用して送信される；及び
ここにおいて、該第２の信号成分は、第２のセルに対応する第２のアンテナを使用して送信される。
【請求項１２】
請求項１の方法、該方法は下記をさらに具備する：
前記第２の周波数帯域が選択される場合、前記第１の帯域の代わりに前記第２の帯域を通すように前記フィルタを制御すること。
【請求項１３】
請求項１２の方法、該方法は下記をさらに具備する：
第３の信号成分及び第４の信号成分を通すように該フィルタを動作させること、前記第３の信号成分及び前記第４の信号成分は該第２の周波数帯域の範囲内である；
第３の信号品質指標を発生させるために前記第３の信号成分に第３の信号測定を実行すること；
第４の信号品質指標を発生させるために前記第４の信号成分に第４の信号測定を実行すること；及び
前記第３の信号品質指標及び前記第４の信号品質指標の関数として該第２の周波数帯域において動作させることと該第１の周波数帯域において動作させることとの間で選択すること。
【請求項１４】
請求項１３の方法、該方法は下記をさらに具備する：
前記第１の周波数帯域が選択される場合、前記第２の周波数帯域の代わりに前記第１の周波数帯域を通すように前記フィルタを制御すること。
【請求項１５】
請求項１の方法、該方法は下記をさらに具備する：
前記受信するステップ及び第１及び第２の測定ステップを複数回繰り返すこと、前記第１の周波数帯域と前記第２の周波数帯域との間で前記選択することは前記第２の品質指標が予め決められたインターバルのあいだ前記第１の品質指標を超えた後で該第２の周波数帯域を選択すること。
【請求項１６】
請求項１５の方法、ここにおいて、前記インターバルは、予め決められた期間の時間インターバルである。
【請求項１７】
請求項１５の方法、ここにおいて、前記予め決められたインターバルは、一定数の信号測定を含む。
【請求項１８】
請求項１の方法、ここにおいて、前記選択することは、予め決められたしきい値に基づく。
【請求項１９】
請求項１８の方法、ここにおいて、前記選択することは、前記第１の信号品質値及び第２の信号品質値が両方とも予め選択されたインターバルのあいだ前記予め決められたしきい値を超える場合、低い方の信号品質値に対応する該周波数帯域を選択することを含む。
【請求項２０】
請求項１８の方法、ここにおいて、前記選択することは、前記第１の信号品質値及び第２の信号品質値のうちの１つが前記予め決められたしきい値より下である場合、高い方の信号品質値に対応する該周波数帯域を選択することを含む。
【請求項２１】
請求項１の方法、ここにおいて、前記選択することは、前記第１の信号品質値が時間のあいだ減少し、前記第２の信号品質値が時間のあいだ増加し、そして該第１の信号品質値と該第２の信号品質値との差が符号の正負を変える場合、該第２の周波数帯域を選択することを含む。
【請求項２２】
請求項１の方法、ここにおいて、前記選択するステップは、ユーザに提供されようとしているサービスの品質（ＱｏＳ）の関数である、前記選択する関数は前記ユーザに提供されようとしている該ＱｏＳの変化を示している情報に応じて変化する。
【請求項２３】
請求項１の方法、ここにおいて、前記選択するステップは、通信システム・ローディングの関数であり、該方法は下記をさらに具備する：
通信システム・ローディングを示す情報を受信すること；及び
通信システム・ローディングにおける変化の指示に応じて前記選択する関数を修正すること。
【請求項２４】
請求項２３の方法、ここにおいて、前記通信システム・ローディング情報は、当該基地局から前記信号を受信しているデバイスに該基地局から伝達される。
【請求項２５】
通信デバイス、該デバイスは下記を具備する：
第１の成分及び第２の成分を含んでいる信号を受信するための受信機アンテナ、前記第１の成分は第１の周波数帯域上で主に送信する第１の接続点から受信され、前記第２の成分は、第２の周波数帯域上で主に送信し前記第１の周波数帯域上で時々送信する第２の接続点から受信され；
前記受信した信号をフィルタするためそして前記第１の周波数帯域及び第２の周波数帯域のうちの選択された１つの中の信号を通し他方で前記第１の周波数帯域及び前記第２の周波数帯域の別の１つの中に含まれた少なくとも複数の周波数を破棄するために前記アンテナに接続された制御可能な第１のフィルタ、前記第１の信号成分及び前記第２の信号成分は該第１の周波数帯域及び該第２の周波数帯域のうちの選択された１つの範囲内の異なる周波数上で受信され、該第１の信号成分は前記第１の周波数帯域に関係付けられ、前記第２の信号成分は前記第２の周波数帯域に関係付けられ、前記第２の信号成分は前記第２の周波数帯域に対応する情報を搬送し；
前記第１の信号成分及び前記第２の信号成分を別々に出力するために第２のフィルタを動作させること；
第１の信号品質指標を発生させるために前記第１の信号成分に第１の信号測定を実行するために前記第２のフィルタに接続された第１の信号測定デバイス；
第２の信号品質指標を発生させるために前記第２の信号成分に第２の信号測定を実行するために前記第２のフィルタに接続された第２の信号測定デバイス；及び
前記第１の信号品質指標及び前記第２の信号品質指標の関数として前記第２の周波数帯域において動作させることと該第１の周波数帯域において動作させることとの間で選択するため、そして前記制御可能な第１のフィルタによって通される該第１の周波数帯域と該第２の周波数帯域のうちの１つを制御するために使用する制御信号を発生させるための周波数帯域選択モジュール。
【請求項２６】
請求項２５のデバイス、ここにおいて、前記第２の周波数帯域は、前記第１の周波数帯域の範囲外である。
【請求項２７】
請求項２５のデバイス、ここにおいて、前記制御可能な第１のフィルタは、前記第２の周波数帯域が選択された場合に、前記第２の周波数帯域を通しそして前記第１の周波数帯域の少なくとも一部を破棄する。
【請求項２８】
請求項２７のデバイス、ここにおいて、前記制御可能な第１のフィルタは、前記第２の周波数帯域が選択された場合に、該第２の周波数帯域の範囲内に含まれる第３の信号成分及び第４の信号成分を通す、該デバイスは下記をさらに具備する：
第３の信号品質指標を発生させるために前記第３の信号成分に第３の信号測定を実行するための手段；
第４の信号品質指標を発生させるために前記第４の信号成分に第４の信号測定を実行するための手段；及び
前記第３の信号品質指標及び前記第４の信号品質指標の関数として該第２の周波数帯域において動作させることと該第１の周波数帯域において動作させることとの間で選択するための手段。
【請求項２９】
通信システム、該システムは下記を具備する：
下記を含む携帯型通信デバイス：
ｉ）第１の成分及び第２の成分を含んでいる信号を受信するための受信機アンテナ、前記第１の成分は第１の周波数帯域上で主に送信する第１の接続点から受信され、前記第２の成分は、第２の周波数帯域上で主に送信し前記第１の周波数帯域上で時々送信する第２の接続点から受信され；
ｉｉ）前記受信した信号をフィルタするためそして前記第１の周波数帯域及び第２の周波数帯域のうちの選択された１つの中の信号を通し他方で前記第１の周波数帯域及び前記第２の周波数帯域の別の１つの中に含まれた少なくとも複数の周波数を破棄するために前記アンテナに接続された制御可能な第１のフィルタ、前記第１の信号成分及び前記第２の信号成分は該第１の周波数帯域及び該第２の周波数帯域のうちの選択された１つの範囲内の異なる周波数上で受信され、該第１の信号成分は前記第１の周波数帯域に関係付けられ、前記第２の信号成分は前記第２の周波数帯域に関係付けられ、前記第２の信号成分は前記第２の周波数帯域に対応する情報を搬送し；
ｉｉｉ）前記第１の信号成分及び前記第２の信号成分を別々に出力するための、第２のフィルタ；
ｉｖ）第１の信号品質指標を発生させるために前記第１の信号成分に第１の信号測定を実行するために前記第２のフィルタに接続された第１の信号測定デバイス；
ｖ）第２の信号品質指標を発生させるために前記第２の信号成分に第２の信号測定を実行するために前記第２のフィルタに接続された第２の信号測定デバイス；
ｖｉ）前記第１の信号品質指標及び前記第２の信号品質指標の関数として前記第２の周波数帯域において動作させることと該第１の周波数帯域において動作させることとの間で選択するため、そして前記制御可能な第１のフィルタによって通される該第１の周波数帯域と該第２の周波数帯域のうちの１つを制御するために使用する制御信号を発生させるための周波数帯域選択モジュール；及び
第１の基地局、該基地局は通信セル内に配置され、該基地局は下記を含む：
前記第１の信号成分を送信するための、該第１の周波数帯域内に主に送信する前記第１の接続点である第１の送信機。
【請求項３０】
請求項２９のシステム、ここにおいて、前記第１の基地局は下記をさらに具備する：    該第１の信号成分を送信するために前記セルの第１のセクタの方向に向けられた第１の送信アンテナ；
当該第２の送信機が動作する時間の一部の間に前記第１の周波数帯域内に前記第２の信号成分を送信するための、前記第２の周波数帯域内に主に送信する前記第２の接続点である第２の送信機、前記第２の送信機は前記第１の送信機がそこに対応するセクタとは異なる前記セルのセクタに対応する；及び
該第２の信号成分を送信するために前記セルの第２のセクタの方向に向けられた第２の送信アンテナ、該第１のセクタ及び該第２のセクタは前記セルの異なる物理的地域に設置される。
【請求項３１】
通信システム、該システムは下記を具備する：
下記を含む携帯型通信デバイス：
ｉ）第１の成分及び第２の成分を含んでいる信号を受信するための受信機アンテナ、前記第１の成分は第１の周波数帯域上で主に送信する第１の接続点から受信され、前記第２の成分は、第２の周波数帯域上で主に送信し前記第１の周波数帯域上で時々送信する第２の接続点から受信され；
ｉｉ）前記受信した信号をフィルタするためそして第１の周波数帯域及び第２の周波数帯域のうちの選択された１つの中の信号を通し他方で前記第１の周波数帯域及び前記第２の周波数帯域の別の１つの中に含まれた少なくとも複数の周波数を破棄するために前記アンテナに接続された制御可能な第１のフィルタ、前記第１の信号成分及び前記第２の信号成分は該第１の周波数帯域及び該第２の周波数帯域のうちの選択された１つの範囲内であり、該第１の信号成分は前記第１の周波数帯域に関係付けられ、前記第２の信号成分は前記第２の周波数帯域に関係付けられ、前記第２の信号成分は前記第２の周波数帯域に対応する情報を搬送し；
ｉｉｉ）前記第１の信号成分及び前記第２の信号成分を別々に出力するための、第２のフィルタ；
ｉｖ）第１の信号品質指標を発生させるために前記第１の信号成分に第１の信号測定を実行するために前記第２のフィルタに接続された第１の信号測定デバイス；
ｖ）第２の信号品質指標を発生させるために前記第２の信号成分に第２の信号測定を実行するために前記制御可能なフィルタに接続された第２の信号測定デバイス；
ｖｉ）前記第１の信号品質指標及び前記第２の信号品質指標の関数として前記第２の周波数帯域において動作させることと該第１の周波数帯域において動作させることとの間で選択するため、そして前記制御可能な第１のフィルタによって通される該第１の周波数帯域と該第２の周波数帯域のうちの１つを制御するために使用する制御信号を発生させるための周波数帯域選択モジュール；及び
第１の基地局、該基地局は通信セル内に配置され、該基地局は下記を含む：
前記第１の信号成分を送信するための、該第１の周波数帯域内に主に送信する前記第１の接続点である第１の送信機；
ここにおいて、前記信号は、時間の１つのピリオドにわたり受信される；及び
ここにおいて、前記第１の信号成分及び前記第２の信号成分は、時間の異なる点において受信される。
【請求項３２】
請求項３１のシステム、ここにおいて、前記制御可能な第１のフィルタは、パスバンド・フィルタである、そしてここにおいて、前記第１の信号成分及び前記第２の信号成分は、前記制御可能な第１のフィルタの幅に比べて周波数幅が狭く、前記第１の信号成分及び前記第２の信号成分は前記制御可能な第１のフィルタのパスバンド幅の半分よりも狭い幅を有する。
【請求項３３】
請求項３２のシステム、ここにおいて、前記第１の信号成分及び前記第２の信号成分は、前記制御可能な第１のフィルタのパスバンドの周波数幅の大きくとも１／２０の周波数幅を有する。
【請求項３４】
請求項２９のシステム、該システムは下記をさらに具備する： 
第２のセルに配置された第２の基地局、該第２の基地局は前記第２の接続点である第２の送信機を含み、前記第１の送信機及び前記第２の送信機は異なるセル内に配置される；
前記第１のセルは該第１の信号成分を送信するための第１のアンテナを含み；及び    該第２のセルは該第２の信号成分を送信するための第２のアンテナを含む。
【請求項３５】
請求項２９のシステム、該システムは下記をさらに具備する：
該第２の周波数帯域内に信号を定期的に送信するために該第１の送信機を制御するための手段。
【請求項３６】
請求項３４のシステム、ここにおいて、該第１の周波数帯域及び該第２の周波数帯域は、幅が少なくとも１ＭＨｚである。
【請求項３７】
請求項３６のシステム、ここにおいて、前記制御可能な第１のフィルタは、幅が２ＭＨｚよりの狭いパスバンドを有する。
【外国語明細書】
2011211742000001.pdf